(57)【要約】      （修正有）【課題】電力遮断または故障の検出に基づいて、電子装置（例えば、インバータ、電力コンバータ）をグリッドから切断して、電子装置またはグリッドに対する安全性または損傷の低減を確実するリレーアレイを提供する。【解決手段】システム１００において、一つ又は複数の電気機械的リレー（例えば、ラッチリレー）ＲＥ１〜ＲＥ４を含む。安全装置は（例えば、ピン、トグル、電子安全ピンなど）、ラッチリレーが状態を変化させることを防止する。電子装置は、状態を変更する能力が望まれると、安全装置を容易に取り外す。ラッチリレーにはまた、ラッチリレーの状態を変更するための電力パルスが供給される。電力パルスは、電力遮断または故障に備えて、電力を維持するパワーバンクによって提供される。【選択図】図１
2020150787.tif 000002
【特許請求の範囲】
【請求項１】
回路であって、
第一の制御コイルによって制御される第一のスイッチ接点、および前記第一の制御コイルとは異なる第二の制御コイルによって制御される第二のスイッチ接点を介して電源をグリッドに接続するように構成されたリレーレッグと、
前記第一のスイッチ接点または前記第二のスイッチ接点のうちの少なくとも一つが、ラッチリレーのスイッチ接点を含む、回路。
【請求項２】
前記回路が、前記グリッドの単相に接続される、請求項１に記載の回路。
【請求項３】
前記回路が、前記グリッドの三相に接続される、請求項１に記載の回路。
【請求項４】
前記回路が、前記グリッドの三相および中性線に接続される、請求項１に記載の回路。
【請求項５】
前記ラッチリレーが、閾値を超える電力の受け取りに応答してスイッチ接点の状態を変更するように構成される、請求項１に記載の回路。
【請求項６】
入力データに基づいて、前記ラッチリレーを制御するように構成された制御回路をさらに含む、請求項１に記載の回路。
【請求項７】
前記制御回路が、電力を出力して前記ラッチリレーの状態を変更するように構成されたパワーバンクを含む、請求項６に記載の回路。
【請求項８】
前記制御回路が、所定の間隔でコントローラから信号を受信するように構成された監視回路を含む、請求項６に記載の回路。
【請求項９】
前記制御回路が、
第一の制御信号、前記第一のスイッチ接点を使用して制御し、
第二の制御信号、前記第二のスイッチ接点を使用して制御するように構成される、請求項６に記載の回路。
【請求項１０】
前記ラッチリレーが導電するのを防止するように構成された安全装置をさらに備える、請求項１に記載の回路。
【請求項１１】
前記ラッチリレーが、前記安全装置の取り外しに基づいて導電するように構成される、請求項１０に記載の回路。
【請求項１２】
前記電源から電力を受け取り、直流（ＤＣ）電力を交流電流（ＡＣ）電力に変換するように構成されたインバータをさらに備える、請求項１に記載の回路。
【請求項１３】
第三のスイッチ接点および第四のスイッチ接点を介して前記電源を前記グリッドに接続するように構成された第二のリレーレッグをさらに含み、前記第二のリレーレッグの前記第三のスイッチ接点および前記第一のリレーレッグの前記第一のスイッチ接点が、二極リレーの異なるスイッチ接点である、請求項１に記載の回路。
【請求項１４】
前記第一の制御コイルが、前記リレーレッグとは異なる第二のリレーレッグ上の第三のスイッチ接点を制御する、請求項１に記載の回路。
【請求項１５】
前記第一のスイッチ接点が、マルチコイルラッチリレーによって制御される、請求項１に記載の回路。
【請求項１６】
システムであって、
第一の制御回路と、
第一の端子に接続され、前記第一の制御回路によって制御される第一のスイッチ接点を含む第一のリレーレッグと、
第二の端子に接続され、前記第一の制御回路によって制御される第二のスイッチ接点を含む第二のリレーレッグと、を含む、一つまたは複数の電子装置、および、
接続ボックスであって、
第二の制御回路と、
前記第二の制御回路によって制御される第三のスイッチ接点を介してグリッドに接続された第一の接続端子であって、前記第一の端子に接続される、第一の接続端子と、
前記第二の制御回路によって制御される第四のスイッチ接点を介してグリッドに接続された第二の接続端子であって、前記第二の端子に接続される、第二の接続端子と、を含み、
前記第一のスイッチ接点、前記第二のスイッチ接点、前記第三のスイッチ接点、または前記第四のスイッチ接点のうちの少なくとも一つが、ラッチリレーのスイッチ接点を含む、接続ボックスを含む、システム。
【請求項１７】
前記第二の制御回路が、前記第一の制御回路と通信するように構成される、請求項１６に記載のシステム。
【請求項１８】
前記第一のスイッチ接点および前記第二のスイッチ接点が、第一の制御コイルによって制御される、請求項１６に記載のシステム。
【請求項１９】
前記第一の接続端子が、第三のリレーレッグの第三の端子に接続され、
前記第二の接続端子が、第四のリレーレッグの第四の端子に接続され、
前記第三のリレーレッグおよび前記第四のリレーレッグが、前記第一のリレーレッグおよび前記第二のリレーレッグを含む第一の電子装置とは異なる第二の電子装置に属する、請求項１６に記載のシステム。
【請求項２０】
前記第一のリレーレッグを含む第一の電子装置と、
前記第二のリレーレッグを含む第二の電子装置と、をさらに含む、請求項１６に記載のシステム。
【発明の詳細な説明】
【技術分野】
【０００１】
関連出願の相互参照
本出願は、２０１９年２月２８日に出願された米国仮出願番号第６２／８１１，８８４号に対する優先権およびその利益を主張するものであり、その全体が参照により本明細書に組み込まれる。
【背景技術】
【０００２】
一部の電気的な用途では、電子装置（例えば、発電回路、インバータ）は、規格および規制により、自動スイッチ回路（例えば、回路ブレーカー）を含み得る。自動スイッチ回路は、制御回路によって検知された遮断または故障（例えば、サブグリッドまたはスタンドアロングリッドへの高電流、高電圧、意図せぬ回路の供給など）に基づいて、電子装置をグリッド（例えば、分配グリッド、分散型発電機、負荷、ホームパネル）から切断し得る。スイッチ回路は、安全機能（例えば、単独運転防止）を確保するための保護機構として実施され得る。
【０００３】
規格および規制（例えば、ＩＥＣ  ６２１０９−１、ＶＤＥ  ０１２６−１−１、ＶＤＥ  ＡＲ−Ｎ  ４１０５）によれば、スイッチ回路は、例えば相導体または中性線などのグリッドに電子装置を接続している各電流または導体に沿って、二つの直列接続され、かつ独立して起動されるスイッチを制御することにより、電子装置をグリッドから切断し得ることが要求される。
【０００４】
一部の例では、この要件を満たすための一般的な方法は、接触電流定格（例えば、リレーが電導できる最大電流量など）、電圧定格、スイッチ容量などの適切な仕様を有するリレーを使用することである。接触電流定格または電圧定格が上昇すると、リレーのサイズおよびコストは著しく増大し得る。
【０００５】
一般に、このような例において使用され得るリレーのタイプは通常、開放式であり、リレーのスイッチ接点はリレーゲートが閾値より高い作動電力を受け取るとき、接続されて導電する。
従って、電子装置が動作するかぎり、自動スイッチ回路は動作の間ずっとアクティブに接続され得、電力を連続的に消費し得る（例えば、休止電力など）。
【０００６】
電力エレクトロニクスにおいて、電力消費量、サイズ、コストおよび／またはこれらに類するものを低減するためのニーズが常に存在する。したがって、消費電力量が低いながらも、費用効果のある方法で、グリッドと構成要素を接続および切断し得る自動スイッチ回路に対するニーズがある。
【発明の概要】
【０００７】
以下の概要は、例示的目的のためだけの本発明の概念のいくつかの短い概要であり、発明を実施するための形態における本発明および実施例を制限または制約することを意図するものではない。
【０００８】
本明細書の開示の態様は、電子装置（例えば、インバータ、電力コンバータ）をグリッドに接続するためのリレーアレイのシステム（またはその部品）および方法を使用し得る。リレーアレイはまた、サブグリッドまたはスタンドアロンのグリッドへの高電流／電圧、または意図しない電子装置の供給を防止するための回路ブレーカーおよび／または保護機構として機能し得るが、これは多くの場合、独立運転防止（ａｎｔｉ−ｉｓｌａｎｄｉｎｇ  ｏｐｅｒａｔｉｏｎ）と称される。遮断（例えば、グリッドが「落ちる」など）または故障検知に基づいて、リレーアレイは、安全性を確保し、電子装置またはグリッドの損傷を防止するためにグリッドから回路を切断し得る。リレーアレイは、電子装置の出力と連結されてもよく、または電子装置に組み込まれてもよい。
【０００９】
規格および規制によれば、エラーや遮断の発生に基づき、電子装置をグリッドから切断することを確実にし得る、リレーアレイなどの自動スイッチ回路を介したグリッドへの接続が必要とされる。安全上の理由から、リレーアレイおよびリレーアレイに起因する制御システム／回路は、一つまたは複数の冗長化を組み込み、一つまたは複数の同時エラーおよび遮断の場合でも、確実に切断できるようにし得る。
【００１０】
リレーアレイは、複数のリレーレッグおよび制御回路を備え得る。各リレーレッグは、電子装置（例えば、インバータ、電力コンバータ）の出力間でグリッド接続（例えば、バス、分配ライン、グリッドの入力端子）に接続しうる。例えば、単相電子装置は、電子装置をグリッドに接続する二つのバス（例えば、相および中性線）を有し得るため、リレーアレイは二つのリレーレッグを含み得る。別の例では、三相電子装置は、電子装置をグリッドに接続する三つのバスを有し得るため、リレーアレイは三つのリレーレッグを含み得る。
【００１１】
前述の冗長化については、リレーレッグそれぞれは、少なくとも二つのリレーまたはリレー接点を備え、リレーが損傷を受けた場合または非稼動状態であっても、グリッドからの切断を確実にし得る。各リレーは、スイッチ接点を備え得る。それぞれのスイッチ接点は制御コイルによって制御され得るため、電流が制御コイルを通過した時に、磁場が生成されてスイッチ接点を制御する機構（例えば、電磁石などの電気機械的機構）を活性化し、それによってスイッチ接点を接続または切断する（例えば、スイッチ接点構成を変更することなど）。同じリレーレッグのスイッチ接点は、制御コイルまたは制御回路のうちの一つが故障するシナリオをカバーするため、少なくとも二つの異なる制御コイルによって制御され得る。
【００１２】
本明細書の開示の態様によれば、リレーレッグの少なくとも一つは、少なくとも一つのラッチリレーを含み得る。ラッチリレーは、制御コイルに適用される電力なしに、オン（接続）またはオフ（切断）の接点構成／位置を無期限に維持し得る、電気機械的リレー（例えば、機械、磁気、インパルスなど）であり得る。ラッチリレーは、リレーが切り替えられた場合のみに電力を消費し、ラッチリレースイッチ接点は、電力停止の間ずっと設定を保持し得る。従って、ラッチリレーは、制御コイルを駆動するより小さな電流を使用することにより、大きな電流を制御するのに使用され得る。
【００１３】
ラッチリレーは、電力パルスを使用し得、ラッチリレーに一時的に供給される電力量（例えば、１００〜１０００ｍｓ）である。電力パルスは、ラッチリレーの制御コイルで磁場を生成し、スイッチ接点構成／位置（例えば、導電／オンまたは非導電／オフ）を変化させ得る、電気機械的機構を起動させ得る。スイッチ接点構成／位置の変更後、電力パルスが取り除かれても、ラッチリレーはスイッチ接点構成／位置（例えば、接続状態または切断状態）を維持し得、それによって定常状態動作の間に散逸する電力が著しく低減される。
【００１４】
ラッチリレーは、その比較的小さなサイズにより、電気回路サイズの縮小という利益を提供し得、電導損失の低減を提供し、より効率的な回路をもたらし得る。さらに、ラッチリレーは、高電流リレーを採用するための比較的費用効果の高い解決策を提供し得る。すなわち、ラッチリレーを使用することにより、製造コストの低減という利点が提供され得る。
【００１５】
上記のように、この発明の概要は、本明細書で説明する機能の一部の概要にすぎず、以下の発明を実施するための形態でさらに説明する概念の選択を簡略化した形で紹介するために提供される。発明の概要は網羅的なものではなく、特許請求の範囲に記載にされた主題の主要な特徴または本質的な特徴を特定することを意図したものではなく、特許請求の範囲の制限となるものでもない。
【００１６】
本開示のこれらおよび他の特徴、態様、および利点は、以下の説明、特許請求の範囲、および図面に関してよりよく理解される。本開示は一例として示され、添付の図によって限定されることはない。
【図面の簡単な説明】
【００１７】
【図１】図１は、本開示の態様による電気回路の図を示す。
【図２】図２は、本開示の態様による電気回路の図を示す。
【図３】図３は、本開示の態様による電気回路の図を示す。
【図４】図４は、本開示の態様による電気回路の図を示す。
【図５】図５は、本開示の態様による電気回路の図を示す。
【図６】図６は、本開示の態様による電気回路の図を示す。
【図７】図７は、本開示の態様による電気回路の図を示す。
【図８】図８は、本開示の態様による電気回路の図を示す。
【図９】図９は、本開示の態様による電気回路の図を示す。
【図１０】図１０は、本開示の態様による電気回路の図を示す。
【図１１ａ】図１１ａは、本開示の態様によるシステムの斜視図を示す。
【図１１ｂ】図１１ｂは、本開示の態様によるシステムの斜視図を示す。
【図１２】図１２は、本開示の態様による電気回路のブロック図を示す。
【図１３】図１３は、本開示の態様による電気回路のブロック図を示す。
【図１４】図１４は、本開示の態様による電気回路の図を示す。
【発明を実施するための形態】
【００１８】
下記の本開示の様々な態様の記載において、本明細書の一部を形成し、本開示の態様を実施することができる様々な実施形態を例示として示す添付図面を参照する。本開示の範囲から逸脱することなく、他の実施形態を利用することができ、構造的および機能的な修正を行うことができることを理解されたい。
【００１９】
電気／電力回路での電力消費量を低減するために、ラッチリレー（例えば、コイルに適用される電力なしに無期限にオンまたはオフの接点構成／位置を保持し得るリレー）を使用し得る。例えば、ラッチリレーを使用して、電子装置（例えば、インバータ）を電気グリッドなどの第二の電子装置／システム／ネットワークに接続し得る。このような場合、ラッチリレーは、電子装置（例えば、インバータ、電力コンバータなど）を損傷（例えば、過負荷または短絡による過剰電流によるものなど）から保護する、またはコンバータが電力を故障中の電力グリッドに供給するのを防ぐように設計された電気スイッチとして自動的に動作する、回路ブレーカーとして使用され得るが、該スイッチは電子装置をグリッドに電気的に接続する、および／または電子装置をグリッドから電気的に切断するための特徴を有し得る。
【００２０】
本明細書に提供される本開示の態様は、一つまたは複数のラッチリレーを備えるリレーアレイを備える電子装置を含む。一つまたは複数のラッチリレーは、装置が第二の電子装置／システム／ネットワークに接続されるとき、電子装置に接続された、またはその中に組み込まれた自動スイッチ回路の電力消費の問題に対する有効的な解決法であり得る。ラッチリレーの比較的小さなサイズにより、一つまたは複数のラッチリレーの使用は、散逸エネルギー量の減少および装置サイズの縮小という利益をもたらし得る。さらに、ラッチリレーは高電流リレーのための比較的費用効果の高い解決法であり、そのため一つまたは複数のラッチリレーを使用することにより、製造コストの削減という利益がもたらされ得る。
【００２１】
ラッチリレーは、電力パルスを使用し得、例えば、ラッチリレーに一時的に供給される電力量（例えば、１００〜１０００ｍｓ）である。電力パルスは、ラッチリレーの制御コイルで磁場を生成し、スイッチ接点構成（例えば、導電／接続／オンまたは非導電／切断／オフ）を変化させ得る、電気機械的機構を起動させ得る。スイッチ接点構成の変更後、電力パルスが取り除かれても、ラッチリレーはスイッチ接点構成（例えば、接続状態／オンまたは切断状態／オフ）を維持し得、定常状態動作の間に散逸する電力を潜在的に低減し得る。スイッチ接点構成は、その後の電力パルスが適用されるまで維持され得、その時に、スイッチ接点構成の変更／切り替えは、他方の構成（例えば、切断／オフまたは接続／オン）に戻る。一部の態様によれば、電力パルスを生成するためのエネルギーは、電子装置（例えば、インバータ）の内部または外部にあるグリッドまたはローカル電源によって提供され得る。
【００２２】
リレーアレイ内の一つまたは複数のラッチリレーの使用、およびスイッチ接点構成を変更するための電力パルスの必要性は、分散型制御システムおよび／または冗長化制御システムを必要とし得る。分散型制御システムは、故障または遮断（例えば、過負荷、短絡など）を検知し得、一つまたは複数の制御信号を生成し得る。一つまたは複数の制御コイルドライバ回路は、一つまたは複数の制御信号を受信し得、制御コイルを通過する電流を生成し得る。電流は、リレーの電気機械的機構を活性化し、スイッチ接点構成を変更する磁場を誘発し得る。
【００２３】
一部の態様によれば、制御回路およびシステムは、グリッドからの即時の切断またはローカル電源の故障が発生するシナリオを支持し得、そのため、電源パルスを生成するために必要な電源／エネルギーが利用できない場合がある。したがって、制御回路は、スイッチ接点構成を変更するための電力パルスを生成するのに十分なエネルギーを蓄え得る電力バンク（例えば、一つまたは複数の容量素子（例えば、コンデンサ）、電池、または両方）を含み得るか、またはそれに連結され得る。
【００２４】
一部の態様によれば、ラッチリレーは、シングルコイルラッチリレー、デュアルコイルラッチリレー、またはマルチコイルラッチリレーであり得る。シングルコイルラッチリレーは、スイッチ位置をセットまたはリセットするのにただ一つのコイルを使用し得、そのため、正の電圧と負の電圧の両方が単一コイルにわたって適用され得る。例えば、正電圧が適用されると、電流が一方向に流れ、リレーをセット状態（例えば、リレースイッチ閉鎖）にすることができる。負電圧は電流方向を逆転させ、リレーをリセット状態（例えば、スイッチ開放）にし得る。
【００２５】
デュアルコイルラッチリレーは、セットコイルおよびリセットコイルを有し得る。例えば、セットコイルが通電されるとき、リレーはセット状態（例えば、スイッチ閉鎖）となり得る。逆に、リセットコイルが通電されると、リレーはリセット状態（例えば、スイッチ開放）となり得る。セットコイルおよびリセットコイルは同時に通電され得ないが、それら各々は独自の電源またはドライバを必要とし得る。
【００２６】
本明細書の開示の態様において、リレーアレイの二つ以上のリレー接点は、多極リレーモジュールを使用して提供され得る。多極リレーモジュールは、単一パッケージに複数のリレーを組み込む。多極リレーモジュールは、二つ以上のリレー接点のための共通制御コイルの使用を可能にし得、それによってシステムのサイズおよびコストを低減する。例えば、二極リレーモジュールは、単一の制御コイルによって制御される二つの接点を有し得、第二の制御コイルが要求事項に対し余剰となり、これによってリレーアレイサイズ、動作中の散逸するエネルギー、製造コスト、および／またはこれらに類するものを低減する。
【００２７】
本明細書の開示の態様において、リレーアレイのリレーは、異なる電気接点構成（例えば、単極単投［ＳＰＳＴ］、二極二投［ＳＰＤＴ］、二極単投［ＤＰＳＴ］を使用し得る。たとえば、リレーアレイが二つ以上のリレーを含む場合、ＤＰＳＴリレー（たとえば、シングルコイルで作動する一対のスイッチまたはリレー）を使用することにより、リレーの制御コイルを駆動するための消費エネルギーを低減させ得る。
【００２８】
本明細書の開示の態様において、制御回路およびシステムは、コントローラの故障を検出および回復するために使用される監視回路を備え得る。制御回路およびシステムは、一つまたは複数のハードウェアプロセッサ、デジタル信号処理［ＤＳＰ］回路、フィールドプログラマブルゲートアレイ［ＦＰＧＡ］装置などを含み得る。監視回路は、制御システムの故障要素および回路の冗長化を提供し得る。例えば、監視回路は、所定の間隔（例えば、５０μｓ）でコントローラからタイマーリセット（例えば、パルス幅変調［ＰＷＭ］信号）を受信し得る。タイマーリセットが変更されたか、または到着していない場合、監視回路は、プロセスを開始する信号（例えば、制御コイルを駆動して、スイッチ接点状態／位置を変更し、グリッドから電子装置を切断するなどの）を生成し得る。例えば、タイマーリセットが変更された場合、コントローラがスイッチ接点状態／位置を非電導／オフに変更する決定を行い、電子装置を切断することがある。タイマーリセットが変更された場合、または到着していない場合の別の例では、コントローラが故障し、監視回路がコントローラのバックアップおよび冗長化要素として機能し得、スイッチ接点構成／位置を非電導／オフに変更するための信号を生成し、電子装置をグリッドから切断することがある。
【００２９】
ここで図１を参照すると、本明細書の開示の態様によるリレーアレイを含む電気回路の図を示す。システム１００は、直流（ＤＣ）電源（例えば、太陽電池［ＰＶ］ソーラーパネル、ＰＶモジュール、ＰＶアレイ／ストリング、ＤＣ−ＤＣコンバータなど）、単相交流電流（ＡＣ）グリッド（例えば、多相（例えば、三相）ＡＣグリッド）、およびインバータ回路１１を含む。インバータ回路１１は、ＤＣ−ＡＣコンバータ１、誘導素子Ｌ１およびＬ２、制御回路１０、およびリレーＲＥ１〜ＲＥ４を含むリレーアレイ１３を含み得る。リレーＲＥ１〜ＲＥ４のそれぞれは、対応するスイッチ接点ＳＣ１〜ＳＣ４および対応する制御コイルＣＣ１〜ＣＣ４をそれぞれ含む。
【００３０】
一部の態様によれば、リレーＲＥ１〜ＲＥ４の少なくとも一つは、ラッチリレー（例えば、コイルに適用される電力なしに、接点構成／位置のいずれかを無期限に維持し得るリレー）であり得る。例えば、リレーＲＥ１およびＲＥ３はラッチリレーであり得、リレーＲＥ２およびＲＥ４は非ラッチリレーであり得、そのため、各インバータ出力は一つのラッチリレーおよび一つの非ラッチリレーを特徴とするリレーレッグに接続される。各インバータ出力を、一つのラッチリレーおよび一つの非ラッチリレーを特徴とするリレーレッグに接続することにより、各出力に対して二つの非ラッチリレー接点を含む設計と比較して、コンバータ１のサイズ、コストおよび損失を減少させることができ、信頼性および安全性の高い方法で動作するように構成され得る。
【００３１】
リレーＲＥ１〜ＲＥ２を含む電流パスは、第一のリレーレッグ（例えば、バス、相）と総称され得る。第一のリレーレッグは誘導素子Ｌ１をさらに含み得る。電流パスはリレーＲＥ３〜ＲＥ４を含み、第二のリレーレッグと総称され得る。第二のリレーレッグは誘導素子Ｌ２をさらに含み得る。第一のリレーレッグおよび第二のリレーレッグのそれぞれ（例えば、バス、相）は、コンバータ１の出力端子と対応するグリッド接続端子との間に接続され得る。
【００３２】
スイッチ接点ＳＣ１〜ＳＣ４の各々は、対応する制御コイルＣＣ１〜ＣＣ４によってそれぞれ制御され得る。制御コイルＣＣ１〜ＣＣ４の各々は、制御回路１０によって生成された制御信号Ｃ１〜Ｃ４によって駆動され得る。制御回路１０は、ロジックシステムによる制御信号Ｃ１〜Ｃ４および、制御回路１０によって受信される入力データを生成し得る。例えば、入力データは、システム１００の一つまたは複数の電気パラメータの測定、ＦＰＧＡまたはコントローラによって生成されるイネーブル信号、またはシステム１００の構成要素のうちの一つにおいて検知された遮断（例えば、高電圧／電流の測定）を含み得る。入力データは、インバータ回路１１に組み込まれる、またはインバータ回路１１に連結される一つまたは複数のセンサ（例えば、電圧／電流センサ）によって測定され得る。入力データはまた、インバータ出力に接続されたグリッド（例えば、単相グリッド、または多相グリッドの一つの相）の一つまたは複数のパラメータにおける測定値であってもよく、または測定値を含んでもよい。
【００３３】
誘導素子Ｌ１およびＬ２は、例えば、フィルターインダクタ、差動インダクタ、コモンモードチョークインダクタなど、第一および第二のリレーレッグに連結された様々な誘導素子のインダクタンスを表し得る。Ｌ１およびＬ２で表される様々な誘導素子は、リレーレッグに沿った異なる素子と連結され得る。一部の態様によれば、誘導素子の一部は：（ｉ）コンバータ１の出力端子と第一のスイッチ接点（例えば、リレーＲＥ１、リレーＲＥ３）との間、（ｉｉ）第一のスイッチ接点と第二のスイッチ接点との間（例えば、リレーＲＥ１とＲＥ２との間、リレーＲＥ３とＲＥ４との間）、および／または（ｉｉｉ）第二のスイッチ接点（例えば、リレーＲＥ２、リレーＲＥ４）と（例えば、単相）ＡＣグリッドへの接続との間に連結され得る。
【００３４】
コンバータ１の入力端子は、ＤＣ電源を横切って連結され得、コンバータ１の動作中にコンバータ１に電力を入力し得る。コンバータ１はＤＣ電力をＡＣ電力に変換し得るが、スイッチ接点ＳＣ１〜ＳＣ４の状態に応じて、第一のリレーレッグおよび第二のリレーを通って電流が流れ、電力をＡＣグリッドに供給することができるようにし得る。電流は、全てのスイッチ接点が接続されているとき（オン）にＤＣ電源からＡＣグリッドに流れ、電気を伝導し得る。
【００３５】
ここで図２を参照すると、本明細書の開示の態様による電気回路の図を示す。システム２００は、直流（ＤＣ）電源（例えば、太陽電池［ＰＶ］ソーラーパネル、ＰＶモジュール、ＰＶアレイ／ストリング、ＤＣ−ＤＣコンバータ）、ＤＣ−ＡＣコンバータ２を含む三相交流電流（ＡＣ）グリッドおよびインバータ回路２１、誘導素子Ｌ３〜Ｌ５、制御回路２０およびリレーＲＥ５〜ＲＥ１０を含むリレーアレイ２３を含む。リレーＲＥ５〜ＲＥ１０のそれぞれは、対応するスイッチ接点ＳＣ５〜ＳＣ１０および対応する制御コイルＣＣ５〜ＣＣ１０をそれぞれ含む。
【００３６】
一部の態様によれば、リレーＲＥ５〜ＲＥ１０の少なくとも一つは、ラッチリレー（コイルに適用される電力なしに、導電／オンまたは非導電／オフの接点構成／位置のいずれかを無期限に維持し得るリレー）であり得る。
【００３７】
リレーＲＥ５〜ＲＥ６を含む電流パスは、第一のリレーレッグ（例えば、バス、相）と総称され得る。電流パスは第二のリレーレッグと総称され得るリレーＲＥ７〜ＲＥ８を含む。電流パスは第三のリレーレッグと総称され得るリレーＲＥ９〜ＲＥ１０を含む。第一のリレーレッグ、第二のリレーレッグおよび第三のリレーレッグのそれぞれは、コンバータ２の出力端子と対応するグリッド接続端子との間を接続し、グリッドの三相のうちの一つを表し得る。第一、第二、および第三のリレーレッグは、それぞれ、誘導素子Ｌ３、Ｌ４およびＬ５を含むか、またはそれらに直列に接続され得る。
【００３８】
スイッチ接点ＳＣ５〜ＳＣ１０の各々は、対応する制御コイルＣＣ５〜ＣＣ１０によって制御され得る。制御コイルＣＣ５〜ＣＣ１０の各々は、制御回路２０によって生成された、対応する制御信号Ｃ５〜Ｃ１０によって駆動され得る。制御回路２０は、ロジックシステムによる制御信号Ｃ５〜Ｃ１０および、制御回路２０によって受信される入力データを生成し得る。例えば、入力データは、システム２００の一つまたは複数の電気パラメータの測定、コントローラ（例えば、ＦＰＧＡ、ＤＳＰなど）によって生成されるイネーブル信号、またはシステム２００の構成要素のうちの一つにおいて検知された遮断であり得る。入力データは、インバータ回路２１に組み込まれる、またはインバータ回路２１に連結される一つまたは複数のセンサ（例えば、電圧／電流センサ）によって測定され得る。
【００３９】
誘導素子Ｌ３〜Ｌ５は、例えば、フィルターインダクタ、差動インダクタ、コモンモードチョークインダクタなど、対応するリレーレッグにわたって連結された様々な誘導素子のインダクタンスを表し得る。Ｌ３〜Ｌ５で表される様々な誘導素子は、リレーレッグに沿った異なる素子（例えば、相、バスなど）と連結され得る。例えば、一部の態様によれば、誘導素子の一部は：（ｉ）コンバータ２の出力端子と第一のスイッチ接点（例えば、リレーＲＥ５、リレーＲＥ７、リレーＲＥ９）との間、（ｉｉ）第一のスイッチ接点と第二のスイッチ接点との間（例えば、リレーＲＥ５とＲＥ６との間、リレーＲＥ７とＲＥ８との間、リレーＲＥ９とＲＥ１０との間）、および／または（ｉｉｉ）第二のスイッチ接点（例えば、リレーＲＥ６、リレーＲＥ８、リレーＲＥ１０）と三相ＡＣグリッドへの接続との間に連結され得る。
【００４０】
コンバータ２の入力端子は、ＤＣ電源を横切って連結され得、これによりコンバータ２の動作中にコンバータ２に電力を入力し得る。コンバータ２はＤＣ電力をＡＣ電力に変換し得るが、これはスイッチ接点ＳＣ５〜ＳＣ１０および制御回路２０によって生成された制御信号Ｃ５〜Ｃ１０の状態に応じ、リレーパス（例えば、第一、第二、および第三のリレーレッグ）を通って流れ、電力をＡＣグリッドに供給し得る。電力は、全ての接点が接続されているときにＤＣ電源からＡＣグリッドに流れ、電気を伝導し得る。
【００４１】
ここで図３を参照すると、本明細書の開示の態様による、図１のシステム１００の一例として、電気システム３００の図を示す。一部の態様によれば、各リレーレッグにおけるシングルリレー接点は、ラッチリレーとし得る。例えば、図３では、図１のリレーＲＥ１およびＲＥ３は、それぞれスイッチ接点ＳＣ１およびＳＣ３、ならびにそれぞれ制御コイルＣＣ１およびＣＣ３を含むラッチリレーＬＲＥ１およびＬＲＥ３で実装される。  
【００４２】
一部の態様によれば、リレーアレイの複数のリレー（二つ以上）は、多極リレーモジュールで実装され得る。例えば、二極リレー３５は、制御回路１０によって生成され得る制御信号Ｃ５によって駆動される共通制御コイルＣＣ５（図ではＣＣ５を示す要素は同じ要素であり得る）を共有し得るリレーＲＥ２およびＲＥ４を備え得る。例えば、二極リレーモジュール３５を使用することにより、電気システム３００のサイズの縮小、電気システム３００動作中の散逸エネルギーの低減、および／または製造コストの低減という利益がもたらされ得る。
【００４３】
この例において、ラッチリレーＬＲＥ１およびリレーＲＥ２を含む電流パスは、第一のリレーレッグと総称され得る。電流パスは、第二のリレーレッグと総称され得るラッチリレーＲＥ３およびＲＥ４を含む。第一のリレーレッグおよび第二のリレーレッグのそれぞれは、コンバータ１の出力端子と対応するグリッド接続端子との間に接続され得る。
【００４４】
この例では、ＤＣ−ＡＣコンバータ１、誘導素子Ｌ１およびＬ２、制御回路１０、およびリレーＲＥ２、ＲＥ４およびラッチＬＲＥ１およびＬＲＥ３を含むリレーアレイ３３は、インバータ回路３１と総称され得る。
【００４５】
ここで図４を参照すると、本明細書の開示の態様による、図１のシステム１００の一例として、電気システム４００の図を示す。一部の態様によれば、各リレーレッグは、少なくとも二つのラッチリレーを備え得る。例えば、図４では、図１のリレーＲＥ１〜ＲＥ４は、それぞれスイッチ接点ＳＣ１〜ＳＣ４、ならびにそれぞれ制御コイルＣＣ１〜ＣＣ４を含むラッチリレーＬＲＥ１〜ＬＲＥ４で実装される。
【００４６】
この例において、ラッチリレーＬＲＥ１〜ＬＲＥ２を含む電流パスは、第一のリレーレッグと総称され得る。ラッチリレーＬＲＥ３〜ＬＲＥ４を含む電流パスは、第二のリレーレッグと総称され得る。第一のリレーレッグおよび第二のリレーレッグのそれぞれは、コンバータ１の出力端子と対応するグリッド接続端子との間に接続され得る。
【００４７】
一部の態様によれば、リレーアレイの異なるリレーレッグ（例えば、第一のリレーレッグおよび第二のリレーレッグ）の複数のリレー（二つ以上）は、多極リレーモジュールで実装され得る。例えば、一部の態様によれば、ラッチリレーＬＲＥ２およびＬＲＥ４は、制御回路１０によって生成された第一の共通制御信号によって駆動される第一の共通制御コイルを共有し得、ラッチリレーＬＲＥ１およびＬＲＥ３は、第二の共通制御信号によって駆動される第二の共通制御コイルを共有し得る。デュアルリレーモジュールを使用することにより、電気システム４００のサイズの縮小、電気システム４００動作中の散逸エネルギーの低減、および製造コストの低減という利益がもたらされ得る。
【００４８】
一部の態様によれば、ラッチリレーＬＲＥ１〜ＬＲＥ４は、一つまたは複数の制御コイルを有する単一モジュールに組み込まれ得る。制御回路１０のデジタル論理を使用して、制御信号Ｃ１〜Ｃ４を生成し得る。規制により、各リレーレッグに対して二つ以上の制御コイルが必要とされない場合、単一の制御コイルが、ラッチリレーＬＲＥ１〜ＬＲＥ４のすべてを制御し得る。上述の通り、規制により、制御コイル冗長化が必要とされる場合、二つ以上の制御コイルが使用され得る。
【００４９】
この例では、ＤＣ−ＡＣコンバータ１、誘導素子Ｌ１およびＬ２、制御回路１０、およびラッチリレーＬＲＥ１〜ＬＲＥ４を含むリレーアレイ４３は、インバータ回路４１と総称され得る。
【００５０】
ここで図５を参照すると、本明細書の開示の態様による、図２のシステム２００の一例として、電気システム５００の図を示す。
【００５１】
一部の態様によれば、少なくとも一つのリレーレッグのリレーまたはリレー接点のうちの少なくとも一つは、ラッチリレーであり得る。例えば、図４では、図１のリレーＲＥ５およびＲＥ１０は、それぞれスイッチ接点ＳＣ５およびＳＣ１０、ならびにそれぞれ制御コイルＣＣ５およびＣＣ１０を含むラッチリレーＬＲＥ５およびＬＲＥ１０でそれぞれ実装される。
【００５２】
この例において、コンバータ２と三相グリッドを接続し、ラッチリレーＬＲＥ５、リレーＲＥ６を含む第一の電流パスは、第一のリレーレッグと総称され得る。コンバータ２および三相グリッドを接続し、リレーＲＥ７〜ＲＥ８を含む第二の電流パスは、第二のリレーレッグと総称され得る。コンバータ２と三相グリッドを接続し、ラッチリレーＬＲＥ１０、リレーＲＥ９を含む第三の電流パスは、第三のリレーレッグと総称され得る。
【００５３】
一部の態様によれば、リレーアレイの複数のリレー（二つ以上）は、多極リレーモジュールで実装され得る。例えば、二極リレー５５は、制御回路２０によって生成され得る制御信号Ｃ４によって駆動される共通制御コイルＣＣ４（図ではＣＣ４を示す要素は同じ要素であり得る）を共有し得るリレーＲＥ６およびＲＥ８を備え得る。二極リレー６５は、制御回路２０によって生成され得る制御信号Ｃ３によって駆動される共通制御コイルＣＣ３（図ではＣＣ３を示す要素は同じ要素であり得る）を共有し得るリレーＲＥ７およびＲＥ９を備え得る。デュアルリレーモジュール５５および６５を使用することにより、電気システム５００のサイズの縮小、電気システム５００動作中の散逸エネルギーの低減、および製造コストの低減という利益がもたらされ得る。
【００５４】
この例では、ＤＣ−ＡＣコンバータ２、誘導素子Ｌ３〜Ｌ５、制御回路２０、およびリレーＲＥ６、ＲＥ７〜ＲＥ９、およびラッチリレーＬＲＥ５およびＬＲＥ１０を含むリレーアレイ５３は、インバータ回路５１と総称され得る。
【００５５】
一部の態様によれば、ラッチリレーＬＲＥ５およびＬＲＥ１０は、一つまたは複数の制御コイルを有する単一モジュール（例えば、多極リレー）に組み込まれ得る。制御回路２０のデジタル論理を使用して、制御信号Ｃ１およびＣ２を生成し得る。
【００５６】
一部の態様によれば、リレーアレイ５３は、制御回路２０によって生成される二つの制御信号のみによって制御され得、ラッチリレーＬＲＥ５および二極リレー６５は、共通制御信号によって駆動される共通制御コイルを共有し得、ラッチリレーＬＲＥ１０および多極リレー５５は、共通制御信号によって駆動される共通制御コイルを共有し得る。
【００５７】
ここで図６を参照すると、本明細書の開示の態様による、図２のシステム２００の一例として、電気システム６００の図を示す。一部の態様によれば、各リレーレッグは、少なくとも二つのラッチリレーを備え得る。例えば、図６では、図２のリレーＲＥ５〜ＲＥ１０は、それぞれスイッチ接点ＳＣ５〜ＳＣ１０、ならびにそれぞれ制御コイルＣＣ５〜ＣＣ１０を含むラッチリレーＬＲＥ５〜ＬＲＥ１０で実装される。
【００５８】
一部の態様によれば、リレーアレイ６３は、制御回路によって生成された二つの制御信号のみによって制御され得る。例えば、ラッチリレーＬＲＥ５、ＬＲＥ７およびＬＲＥ９は、制御回路２０によって生成された第一の共通制御信号Ｃ１によって制御され得、ラッチリレーＬＲＥ６、ＬＲＥ８およびＬＲＥ１０は、第二の共通制御信号Ｃ２によって制御され得る。
【００５９】
一部の態様によれば、リレーアレイ６３は、ラッチリレーのそれぞれに対し、制御回路によって生成された、別個の制御信号によって制御され得る。例えば、各ラッチリレーＬＲＥ５、ＬＲＥ７、ＬＲＥ９、ＬＲＥ６、ＬＲＥ８およびＬＲＥ１０は、制御回路２０によって生成された異なる制御信号によって制御され得る。
【００６０】
一部の態様によれば、リレーアレイの異なるリレーレッグ／パス（例えば、第一のリレーレッグ、第二のリレーレッグおよび第三のリレーレッグ）の複数のリレーは、多極リレーモジュールで実装され得る。例えば、ラッチリレーＬＲＥ５、ＬＲＥ７およびＬＲＥ９は、共通制御コイルを共有し得る。多極リレーモジュールを使用することにより、電気システム６００のサイズの縮小、電気システム６００動作中の散逸エネルギーの低減、および製造コストの低減という利益がもたらされ得る。
【００６１】
一部の態様によれば、ラッチリレーＬＲＥ５〜ＬＲＥ１０は、一つまたは複数の制御コイルを有する単一モジュールに組み込まれ得る。制御回路２０のデジタル論理を使用して、制御信号Ｃ１〜Ｃ２を生成し得る。
【００６２】
この例では、ＤＣ−ＡＣコンバータ２、誘導素子Ｌ３〜Ｌ５、制御回路２０、およびラッチリレーＬＲＥ５〜ＬＲＥ１０を含むリレーアレイ６３は、インバータ回路６１と総称され得る。
【００６３】
ここで図７を参照すると、本明細書の開示の態様による、図２のシステム２００の一例として、電気システム７００の図を示す。一部の態様によれば、リレーアレイの各リレーレッグにおける少なくとも一つのシングルリレーは、ラッチリレーとし得る。例えば、図７では、図２のリレーＲＥ５、ＲＥ７、およびＲＥ９は、それぞれスイッチ接点ＳＣ５、ＳＣ７、およびＳＣ９、ならびにそれぞれ制御コイルＣＣ５、ＣＣ７、およびＣＣ９を含むラッチリレーＬＲＥ５、ＬＲＥ７、およびＬＲＥ９でそれぞれ実装される。リレーＲＥ６、ＲＥ８、およびＲＥ１０は、単極リレーであり得る。
【００６４】
一部の態様によれば、リレーアレイは、制御回路によって生成された二つの制御信号のみによって制御され得る。例えば、図７の例において、ラッチリレーＬＲＥ５、ＬＲＥ７およびＬＲＥ９は、制御回路２０によって生成された第一の共通制御信号Ｃ１によって制御され得、リレーＲＥ６、ＲＥ８およびＲＥ１０は、第二の共通制御信号Ｃ２によって制御され得る。
【００６５】
一部の態様によれば、リレーアレイの異なるリレーレッグ（例えば、第一のリレーレッグ、第二のリレーレッグ、および第三のリレーレッグ）の複数のリレー（二つ以上）は、多極リレーモジュールで実装され得る。例えば、ラッチリレーＬＲＥ５、ＬＲＥ７、およびＬＲＥ９は、共通制御コイルを共有し得る。多極リレーモジュールを使用することにより、電気システム７００のサイズの縮小、電気システム７００動作中の散逸エネルギーの低減、および製造コストの低減という利益がもたらされ得る。
【００６６】
この例では、ＤＣ−ＡＣコンバータ２、誘導素子Ｌ３〜Ｌ５、制御回路２０、ラッチリレーＬＲＥ５、ＬＲＥ７、およびＬＲＥ９ならびにリレーＲＥ６、ＲＥ８、およびＲＥ１０を含むリレーアレイは、インバータ回路７１と総称され得る。
【００６７】
ここで図８を参照すると、本開示の態様による、電気システム８１０の図を示す。
【００６８】
この場合、ＤＣ−ＡＣコンバータ３、誘導素子Ｌ３〜Ｌ６、制御回路２０およびリレーＲＥ１１〜ＲＥ１８（各々対応するスイッチ接点ＳＣ１１〜ＳＣ１８および制御コイルＣＣ１１〜ＣＣ１８をそれぞれ含む）を含むリレーアレイは、インバータ回路８１と総称され得る。インバータ回路８１の入力端子は、ＤＣ電源（例えば、太陽電池［ＰＶ］ソーラーパネル、ＰＶモジュール、ＰＶアレイ／ストリング、ＤＣ−ＤＣコンバータ）にわたって連結され得、インバータ回路８１の出力端子は、相Ｌ７、Ｌ８、およびＬ９を含む三相グリッドと連結され得る。
【００６９】
一つまたは複数のリレーレッグを含むリレーアレイは、ＤＣ−ＡＣコンバータ３を三相グリッドに接続し得る。電流パスは第一のリレーレッグと総称され得るリレーＲＥ１１〜ＲＥ１２を含む。電流パスは第二のリレーレッグと総称され得るリレーＲＥ１３〜ＲＥ１４を含む。電流パスは第三のリレーレッグと総称され得るリレーＲＥ１５〜ＲＥ１６を含む。第一のリレーレッグ、第二のリレーレッグおよび第三のリレーレッグのそれぞれは、コンバータ２の出力端子と対応するグリッド接続端子（例えば、相Ｌ７、Ｌ８およびＬ９）との間を接続する。
【００７０】
一部の態様によれば、三相グリッドに接続された電気回路（例えば、インバータ）は、電気回路の出力端子をグリッドの中性点に（例えば、図８に示されるＹ字形構成の共通ポイントに接続された中性線に）接続し得る中性レッグを含み得る。
【００７１】
例えば、図８のインバータ８１は、リレーＲＥ１７〜ＲＥ１８および誘導素子Ｌ６を含む中性レッグを含み得、これはＤＣ−ＡＣコンバータ３の出力端子と三相グリッドの中性点との間を接続し得る。
【００７２】
一部の態様によれば、リレーアレイは、制御回路によって生成された二つの制御信号のみによって制御され得る。例えば、この例において、リレーＲＥ１１、ＲＥ１４、ＲＥ１５、およびＲＥ１８は、制御回路２０によって生成された第一の共通制御信号Ｃ１によって制御され得、リレーＲＥ１２、ＲＥ１３、ＲＥ１６、およびＲＥ１７は、第二の共通制御信号Ｃ２によって制御され得る。
【００７３】
一部の態様によれば、リレーアレイの各リレーは、制御回路によって生成された異なる制御信号によって制御され得る。例えば、リレーＲＥ１１〜ＲＥ１８の各々は、制御回路によって生成された対応する制御信号によって制御され得る。
【００７４】
一部の態様によれば、リレーアレイの異なるリレーレッグ（例えば、第一のリレーレッグ、第二のリレーレッグ、第三のリレーレッグ、および中立レッグ）の複数のリレー（二つ以上）は、多極リレーモジュールで実装され得る。例えば、リレーＲＥ１１、ＲＥ１４、ＲＥ１５、およびＲＥ１８は、第一の共通制御コイルを共有し得、リレーＲＥ１２、ＲＥ１３、ＲＥ１６、およびＲＥ１７は、第二の共通制御コイルを共有し得る。多極リレーモジュールを使用することにより、電気システム８１０のサイズの縮小、電気システム８１０動作中の散逸エネルギーの低減、および製造コストの低減という利益がもたらされ得る。
【００７５】
一部の態様によれば、リレーアレイのリレーＲＥ１１〜ＲＥ１８の少なくとも一つは、ラッチリレーとし得る。ラッチリレーを使用することにより、電気システム８１０のサイズの縮小、電気システム８１０動作中の散逸エネルギーの低減、および製造コストの低減という利益がもたらされ得る。
【００７６】
ここで図９を参照すると、本開示の態様による、電気システム９００の図を示す。
【００７７】
本明細書の開示の態様において、一つまたは複数のリレーレッグを含む接続ボックスは、複数の電気回路（例えば、インバータ）をグリッドに接続し得る。各リレーレッグは、一つまたは複数のリレーおよび／またはリレー接点を含み得る。こうした接続ボックスの使用により、電気回路（例えば、インバータ）のそれぞれにおけるリレー接点の数を減少させることが可能となり得る。例えば、接続ボックスに連結された五つの三相インバータを有する回路は、合計１８個のリレー接点―各インバータ（１５リレー）内の各相に対する一つのリレー、接続ボックス（三つのリレー）内の各相に対する一つのリレーを含み得る。各インバータが、インバータの各相出力とグリッドの間の二つの接点を必要とするグリッドコードに対応する場合、接続ボックスなしで、回路は３０のリレーを有し、各インバータにおける各相に対し二つのリレーを有する。
【００７８】
一部の態様によれば、接続ボックスの使用は、リレーを制御する制御信号の数も減少させ得る。上記の例を参照すると、接続ボックスに連結された五つの三相インバータを有する回路は、六つの制御信号によって制御される１８のリレー接点を含み得、各インバータは、そのインバータにおける全三つのリレー接点を制御する共通制御信号（五つの制御信号）、および接続ボックス内の三つのリレー接点の全てを制御する一つの制御信号を有する。接続ボックスがない場合、回路は少なくとも十個の制御信号―各インバータに対して少なくとも二つの制御信号―を特徴とし、各相が独立して制御されるために二つの接点を要求するグリッドコード／規格に従い得る。
【００７９】
接続ボックスは、一部の特徴によれば、電力消費量の低減および製造コストの低減という追加的利益をもたらし得る。一部の態様によれば、接続ボックスは、より多くの特徴、例えば、ＰＩＤ現象（ｐｏｔｅｎｔｉａｌ−ｉｎｄｕｃｅｄ  ｄｅｇｒａｄａｔｉｏｎ：ＰＩＤ）逆転回路、電源、通信回路（例えば、ＲＳ−４８５通信回路、送電線通信回路、Ｗｉ−Ｆｉ通信回路、Ｚｉｇｂｅｅ通信回路など）、ゲート／コイル駆動回路、コントローラ（例えば、デジタル信号プロセッサ）などを提供する追加的回路を含み得る。通信回路は、変化する太陽光照射、温度などのような変化する条件の下、ＰＶパネルのピーク電力点またはそれに近い点でＰＶシステムに動作を継続させる最大電力点追従制御（ＭＰＰＴ）アルゴリズムを実施するのに使用され得る。
【００８０】
一部の態様によれば、第一のリレーレッグおよび第二のリレーレッグを含む接続ボックスは、複数の電気回路（例えば、インバータ）を単相グリッドまたは多相グリッドの一つの相に接続し得る。接続ボックスの使用は、システムで必要とされるリレーの数を減少させ、かつ制御信号の数を減少させ得、電力消費量の低減および製造コストの削減をもたらし得る。
【００８１】
例えば、三つの単相インバータ１０１Ａ、１０１Ｂ、および１０１Ｃは、接続ボックス１０５に連結され得る。各単相インバータ１０１（例えば、１０１Ａ、１０１Ｂ、および１０１Ｃ）の入力端子は、ＤＣ電源（例えば、ＤＣ  Ａ、ＤＣ  Ｂ、およびＤＣ  Ｃ）にわたって連結され得、各単相インバータ（例えば、１０１Ａ、１０１Ｂ、および１０１Ｃ）の出力端子は接続ボックス１０５に連結され得る。
【００８２】
各単相インバータ（例えば、１０１Ａ、１０１Ｂ、および１０１Ｃ）は、ＤＣ−ＡＣコンバータ１Ａ／１Ｂ／１Ｃ、制御回路１０Ａ／１０Ｂ／１０Ｃ、誘導素子Ｌ１〜Ｌ２（例えば、Ｌ１Ａ〜Ｌ２Ａ、Ｌ１Ｂ〜Ｌ２Ｂ、Ｌ１Ｃ〜Ｌ２Ｃ―フィルターインダクタ、差動インダクタ、コモンモードチョークインダクタ）およびリレーＲＥ１およびＲＥ３を含むリレーアレイを含み得、各リレーは、スイッチ接点（例えば、それぞれＳＣ１ＡおよびＳＣ３Ａ、ＳＣ１ＢおよびＳＣ３Ｂ、ならびにＳＣ１ＣおよびＳＣ３Ｃを有する、ＲＥ１ＡおよびＲＥ３Ａ、ＲＥ１ＢおよびＲＥ３Ｂ、ならびにＲＥ１ＣおよびＲＥ３Ｃを含む。各単相インバータ１０１（例えば、１０１Ａ、１０１Ｂ、および１０１Ｃ）は、ＤＣ−ＡＣコンバータ１（例えば、コンバータ１Ａ、コンバータ１Ｂおよびコンバータ１Ｃ）の出力端子を、接続ボックス１０５の入力端子に接続する、第一のリレーレッグおよび第二のリレーレッグを含み得る。第一のリレーレッグは、第一のリレー（例えば、ＲＥ１Ａ、ＲＥ１Ｂ、ＲＥ１Ｃ）および第一の誘導素子（例えば、Ｌ１Ａ、Ｌ１Ｂ、Ｌ１Ｃ）を含み得、第二のリレーレッグは第二のリレー（例えば、ＲＥ３Ａ、ＲＥ３Ｂ、ＲＥ３Ｃ）および第二の誘導素子（例えば、Ｌ２Ａ、Ｌ２Ｂ、Ｌ２Ｃ）を含み得る。
【００８３】
各単相インバータ１０１の第一のスイッチ接点ＳＣ１および第二スイッチ接点ＳＣ３は、対応する制御回路１０Ａ／１０Ｂ／１０Ｃによって生成されたシングル制御信号（例えば、それぞれＣ５、Ｃ６およびＣ７）によって駆動される、共通制御コイル（例えば、図においてＣＣ５と表された要素は同じ要素であり得、図においてＣＣ６と表された要素は同じ要素であり得、図においてＣＣ７と表された要素は同じ要素であり得る）によって制御され得る。
【００８４】
一部の態様によれば、各単相インバータ１０１Ａ／１０１Ｂ／１０１Ｃの第一のスイッチ接点ＳＣ１および第二のスイッチ接点ＳＣ３は、異なる制御信号によって駆動される異なる制御コイルによって制御され得る。
【００８５】
接続ボックス１０５は、制御回路１５、各単相インバータ１０１Ａ／１０１Ｂ／１０１Ｃの第一のリレーレッグを接続する第一の接続端子Ｔ１（例えば、線）、および各単相インバータ１０１Ａ／１０１Ｂ／１０１Ｃの第二のリレーレッグを接続する第二の接続端子Ｔ２（例えば、中性点）を含み得る。
【００８６】
接続ボックス１０５は、第一のリレーレッグおよび第二のリレーレッグをさらに含み得る。第一のリレーレッグは、第一の接続端子Ｔ１と単相グリッドまたは多相グリッドの一つの相（例えば、線／中性線）の第一のグリッド接続の間を接続し得る。第二のリレーレッグは、第二の接続端子Ｔ２と単相グリッドまたは多相グリッドの一つの相（例えば、線／中性線）の第二のグリッド接続の間を接続し得る。第一のリレーレッグおよび第二のリレーレッグのそれぞれは、スイッチ接点（例えば、それぞれ、ＳＣ２およびＳＣ４）および誘導素子（例えば、Ｌ３およびＬ４）を有する一つまたは複数のリレー（例えば、それぞれ、ＲＥ２およびＲＥ４）を含み得る。
【００８７】
接続ボックス１０５のスイッチ接点ＳＣ２およびスイッチ接点ＳＣ４は、制御回路１５によって生成されたシングル制御信号（例えば、Ｃ４）によって駆動される共通制御コイル（例えば、図においてＣＣ４と表される要素は同じ要素であり得る）で制御され、それと連結され得る。
【００８８】
一部の態様によれば、接続ボックス１０５のスイッチ接点ＳＣ２およびスイッチ接点ＳＣ４のそれぞれは、異なる制御信号によって駆動される異なる制御コイルで制御され、連結され得る。
【００８９】
一部の態様によれば、接続ボックス１０５は、スタンドアロンボックス（例えば、インバータ１０１Ａ／１０１Ｂ／１０１Ｃから分離された中間ボックスであるが、それらと同じ敷地内にある）であってもよく、または、例えば単相インバータ１０１Ａ／１０１Ｂ／１０１Ｃの中、または異なるインバータ（図示せず）に組み込まれてもよい。一部の実施例では、インバータ１０１Ａ／１０１Ｂ／１０１Ｃは、（例えば、電力損失を低減するために）それぞれのＤＣ電源に近接して位置してもよく、一方で接続ボックス１０５はより便利な位置に位置付けられてもよい。
【００９０】
一部の態様によれば、接続ボックス１０５は、第一のリレーレッグおよび第二のリレーレッグのそれぞれに二つ以上のリレーを含み得る。例えば、リレーＲＥ２およびＲＥ４に加えて、第一のリレーレッグおよび第二のリレーレッグは第三および第四のリレーをそれぞれ含み得、そのため、接続ボックス１０５は合計で四つのリレー（すなわち、相／線に対して二つのリレー、中性線に対して二つのリレー）を含み得る。このような場合、インバータ１０１Ａ／１０１Ｂ／１０１Ｃは、インバータ１０１Ａ／１０１Ｂ／１０１Ｃのリレーおよび制御回路１０Ａ／１０Ｂ／１０Ｃを含まない場合も有り、接続ボックス１０５の制御回路１５は制御ロジックを共有または互いに通信して、電気システム９００の適切な動作を支持する（例えば、起動プロセスの同期化、発電タイミングなど）。
【００９１】
誘導素子Ｌ１Ａ、Ｌ２Ａ、Ｌ１Ｂ、Ｌ２Ｂ、Ｌ１Ｃ、Ｌ２Ｃ、Ｌ３およびＬ４は、例えば、フィルターインダクタ、差動インダクタ、コモンモードチョークインダクタなど、リレーレッグにわたって連結された様々な誘導素子のインダクタンス値を含み得る。Ｌ１Ａ、Ｌ２Ａ、Ｌ１Ｂ、Ｌ２Ｂ、Ｌ１Ｃ、Ｌ２Ｃ、Ｌ３およびＬ４で表される様々な誘導素子は、リレーレッグに沿った異なる素子と連結され得る。一部の態様によれば、誘導素子Ｌ１Ａ、Ｌ２Ａ、Ｌ１Ｂ、Ｌ２Ｂ、Ｌ１Ｃ、Ｌ２Ｃ、Ｌ３、およびＬ４は、（ｉ）コンバータ１Ａ／１Ｂ／１Ｃの出力端子と第一のスイッチ接点（例えば、リレーＲＥ１Ａ／Ｂ／Ｃ、リレーＲＥ３Ａ／Ｂ／Ｃ）の間、または（ｉｉ）第一のスイッチ接点と単相インバータ１０１Ａ／１０１Ｂ／１０１Ｃの出力端子との間で連結され得る。一部の態様によると、誘導素子Ｌ１Ａ、Ｌ２Ａ、Ｌ１Ｂ、Ｌ２Ｂ、Ｌ１Ｃ、Ｌ２Ｃ、Ｌ３、およびＬ４は、それぞれ、（ｉ）第一の接続端子Ｔ１または第二の接続端子Ｔ２とスイッチ接点ＳＣ２またはスイッチ接点ＳＣ４との間、または（ｉｉ）スイッチ接点ＳＣ２またはスイッチ接点ＳＣ４と（例えば、単相）ＡＣグリッドへの接続との間で連結され得る。
【００９２】
一部の態様によれば、リレーアレイの異なるリレーレッグの複数のリレー（二つ以上）は、多極リレーモジュールで実装され得る。例えば、リレーＲＥ１Ａ／ＲＥ１Ｂ／ＲＥ１ＣおよびＲＥ３Ａ／ＲＥ３Ｂ／ＲＥ３Ｃは、第一の共通制御コイルを共有する第一の二極リレーモジュールに組み込まれてもよく、リレーＲＥ２およびＲＥ４は、第二の共通制御コイルを共有する第二の二極リレーモジュールに組み込まれてもよい。二極リレーモジュールを使用することにより、単相インバータ１０１Ａ／１０１Ｂ／１０１Ｃおよび接続ボックス１０５のサイズの縮小、動作中の散逸エネルギーの低減、および製造コストの削減という利点がもたらされ得る。
【００９３】
一部の態様によれば、リレーアレイのリレーＲＥ１Ａ／ＲＥ１Ｂ／ＲＥ１Ｃ、ＲＥ３Ａ／ＲＥ３Ｂ／ＲＥ３Ｃ、ＲＥ２、およびＲＥ４の少なくとも一つは、ラッチリレーとし得る。ラッチリレーを使用することにより、単相インバータ１０１Ａ／１０１Ｂ／１０１Ｃおよび接続ボックス１０５のサイズの縮小、動作中の散逸エネルギーの低減、および製造コストの削減という利点がもたらされ得る。
【００９４】
一部の態様によれば、電気システム９００は、一つまたは複数の制御回路を含み得る。例えば、単相インバータ１０１Ａ／１０１Ｂ／１０１Ｃまたは接続ボックス１０５のうちの一つは、図１の制御回路１０に類似した制御回路を含み得る。
【００９５】
一部の態様によれば、接続ボックス１０５は、より多くの特徴、例えば、ＰＩＤ現象（ｐｏｔｅｎｔｉａｌ−ｉｎｄｕｃｅｄ  ｄｅｇｒａｄａｔｉｏｎ：ＰＩＤ）回路、電源、通信回路（例えば、ＲＳ−４８５通信回路、送電線通信回路、Ｗｉ−Ｆｉ通信回路、Ｚｉｇｂｅｅ通信回路など）、ゲート／コイル駆動回路、コントローラ（例えば、デジタル信号プロセッサ）、電流／電圧センサなどを提供する追加的回路を含み得る。通信回路は、変化する太陽光照射、温度などのような変化する条件の下、ＰＶパネルのピーク電力点またはそれに近い点でＰＶシステムに動作を継続させる最大電力点追従制御（ＭＰＰＴ）アルゴリズムを実施するのに使用され得る。
【００９６】
一部の態様によれば、制御回路１５は、通信回路（例えば、ＲＳ−４８５通信回路、送電線通信回路、Ｗｉ−Ｆｉ通信回路、Ｚｉｇｂｅｅ通信回路など）を通して、制御回路１０Ａ／１０Ｂ／１０Ｃと通信し得る（例えば、データの送受信など）。例えば、制御回路は、制御回路１０Ａ／１０Ｂ／１０Ｃに命令（例えば、ＰＬＣ信号）を送信して、リレー、ＡＣグリッドの一つまたは複数の電気パラメータ（例えば、電圧、電流）を接続／切断し得る。別の例では、制御回路１０Ａ／１０Ｂ／１０Ｃの一つは、制御回路１５に、対応するＤＣ電源が故障中である、発電していない、などを示す信号を送信してもよい。
【００９７】
ここで図１０を参照すると、本開示の態様による、電気システム１０００の図を示す。
【００９８】
一部の態様によれば、接続ボックス２０５は、複数の電気回路（例えば、インバータ）を三相グリッドに接続し得る、第一のリレーレッグ、第二のリレーレッグ、および第三のリレーレッグを含み得る。そのような接続ボックスの使用は、システムで必要とされるリレーの数を減少させ、かつ制御信号の数を減少させ得、それにより電力消費量の低減および製造コストの削減をもたらし得る。
【００９９】
例えば、この場合、三つの三相インバータ２０１Ａ／２０１Ｂ／２０１Ｃは、接続ボックス２０５と連結され得る。各三相インバータ２０１Ａ／２０１Ｂ／２０１Ｃの入力端子は、ＤＣ電源（例えば、太陽電池［ＰＶ］ソーラーパネル、ＰＶモジュール、ＰＶアレイ／ストリング、ＤＣ−ＤＣコンバータ）にわたって連結され得、三相インバータ２０１Ａ／２０１Ｂ／２０１Ｃの各々の出力端子は、接続ボックス２０５と連結され得る。
【０１００】
三相インバータ２０１Ａ／２０１Ｂ／２０１Ｃの各々は、ＤＣ−ＡＣコンバータ２Ａ／２Ｂ／２Ｃ、制御回路２０Ａ／２０Ｂ／２０Ｃ、誘導素子Ｌ３Ａ〜Ｌ５Ａ／Ｌ３Ｂ〜Ｌ５Ｂ／Ｌ３Ｂ〜Ｌ５Ｃ（例えば、フィルターインダクタ、差動インダクタ、コモンモードチョークインダクタ）、およびリレーアレイを含み得る。インバータ２０１Ａのリレーアレイは、リレーＲＥ５Ａ、ＲＥ７Ａ、およびＲＥ９Ａを含み得る。インバータ２０１Ｂのリレーアレイは、リレーＲＥ５Ｂ、ＲＥ７Ｂ、およびＲＥ９Ｂを含み得る。インバータ２０１Ｃのリレーアレイは、ＲＥ５Ｃ、ＲＥ７Ｃ、およびＲＥ９Ｃを含み得る。これらのリレーの各々は、少なくとも一つのスイッチ接点ＳＣ５Ａ、ＳＣ７Ａ、ＳＣ９Ａ、ＳＣ５Ｂ、ＳＣ７Ｂ、ＳＣ９Ｂ、ＳＣ５Ｃ、ＳＣ７Ｃ、およびＳＣ９Ｃを含む。三相インバータ２０１Ａ／２０１Ｂ／２０１Ｃの各々は、ＤＣ−ＡＣコンバータ２Ａ／２Ｂ／２Ｃの出力端子と接続ボックス２０５の入力端子との間を接続する、第一のリレーレッグ、第二のリレーレッグおよび第三のリレーレッグを含み得る。第一のレリーレッグは、第一のリレー（例えば、ＲＥ５Ａ／ＲＥ５Ｂ／ＲＥ５Ｃ）および第一の誘導素子（例えば、Ｌ３Ａ／Ｌ３Ｂ／Ｌ３Ｃ）を含み得、第二のリレーレッグは第二のリレー（例えば、ＲＥ７Ａ／ＲＥ７Ｂ／ＲＥ７Ｃ）および第二の誘導素子（例えば、Ｌ４Ａ／Ｌ４Ｂ／Ｌ４Ｃ）を含み得、第三のリレーレッグは、第三のリレー（例えば、ＲＥ９Ａ／ＲＥ９Ｂ／ＲＥ９Ｃ）および第三の誘導素子（例えば、Ｌ５Ａ／Ｌ５Ｂ／Ｌ５Ｃ）を含み得る。
【０１０１】
各三相インバータ２０１Ａ／２０１Ｂ／２０１Ｃの第一のスイッチ接点ＳＣ５Ａ／ＳＣ５Ｂ／ＳＣ５Ｃ、および第二スイッチ接点ＳＣ７Ａ／ＳＣ７Ｂ／ＳＣ７Ｃ、および第三のスイッチ接点ＳＣ９Ａ／ＳＣ９Ｂ／ＳＣ９Ｃは、対応する制御回路２０Ａ／２０Ｂ／２０Ｃによって生成されたシングル制御信号（例えば、それぞれＣ３、Ｃ４およびＣ５）によって駆動される、共通制御コイル（例えば、図においてＣＣ３と表された要素は同じ要素であり得、図においてＣＣ４と表された要素は同じ要素であり得、図においてＣＣ５と表された要素は同じ要素であり得る）で制御され、それと連結され得る。
【０１０２】
一部の態様によれば、三相インバータ２０１Ａ／２０１Ｂ／２０１Ｃの各々の第一のスイッチ接点ＳＣ５Ａ／ＳＣ５Ｂ／ＳＣ５Ｃ、第二のスイッチ接点ＳＣ７Ａ／ＳＣ７Ｂ／ＳＣ７Ｃ、および第三のスイッチ接点ＳＣ９Ａ／ＳＣ９Ｂ／ＳＣ９Ｃは、異なる制御信号によって駆動される異なる制御コイルで制御され、それと連結され得る。
【０１０３】
接続ボックス２０５は、制御回路２５、各三相インバータ２０１Ａ／２０１Ｂ／２０１の第一のリレーレッグを接続する第一の接続端子Ｔ１、各三相インバータ２０１Ａ／２０１Ｂ／２０１Ｃの第二のリレーレッグを接続する第二の接続端子Ｔ２、および各三相インバータ２０１Ａ／２０１Ｂ／２０１の第三のリレーレッグを接続する第三の接続端子Ｔ３を含み得る。
【０１０４】
接続ボックス２０５は、第一のリレーレッグ、第二のリレーレッグ、および第三のリレーレッグをさらに含み得る。第一のリレーレッグは、第一の接続端子Ｔ１と三相グリッドの第一のグリッド接続との間を接続し得る。第二のリレーレッグは、第二の接続端子Ｔ２と三相グリッドの第二のグリッド接続との間を接続し得る。第三のリレーレッグは、第三の接続端子Ｔ３と三相グリッドの第二のグリッド接続との間を接続し得る。第一のリレーレッグ、第二のリレーレッグ、および第三のリレーレッグの各々は、スイッチ接点（例えば、それぞれ、ＳＣ６、ＳＣ８、およびＳＣ０）を有する一つまたは複数のリレー（例えば、それぞれ、ＲＥ６、ＲＥ８、およびＲＥ０）を含み得る。一部の態様によれば、第一のリレーレッグ、第二のリレーレッグおよび第三のリレーレッグの各々は、フィルターインダクタ、差動インダクタ、またはコモンモードチョークインダクタなどの誘導素子を含み得る。
【０１０５】
接続ボックス２０５のスイッチ接点ＳＣ６、スイッチ接点ＳＣ８、およびスイッチ接点ＳＣ０は、制御回路２５によって生成されたシングル制御信号（例えば、Ｃ１）によって駆動される共通制御コイル（例えば、図においてＣＣ１と表される要素は同じ要素であり得る）で制御され、それと連結され得る。
【０１０６】
一部の態様によれば、接続ボックス２０５のスイッチ接点ＳＣ６、スイッチ接点ＳＣ８、およびスイッチ接点ＳＣ０の各々は、異なる制御信号によって駆動される異なる制御コイルで制御され、それと連結され得る。
【０１０７】
一部の態様によれば、接続ボックス２０５は、スタンドアロンボックス（例えば、インバータ２０１Ａ／２０１Ｂ／２０１Ｃから分離された中間ボックスであるが、それらと同じ敷地内にある）であってもよく、または、例えば三相インバータ２０１Ａ／２０１Ｂ／２０１Ｃの中、または異なるインバータ（図示せず）に組み込まれてもよい。
【０１０８】
一部の態様によれば、接続ボックス２０５は、より多くの特徴、例えば、ＰＩＤ現象（ｐｏｔｅｎｔｉａｌ−ｉｎｄｕｃｅｄ  ｄｅｇｒａｄａｔｉｏｎ：ＰＩＤ）回路、電源、通信回路（例えば、ＲＳ−４８５通信回路、送電線通信回路、Ｗｉ−Ｆｉ通信回路、Ｚｉｇｂｅｅ通信回路など）、ゲート／コイル駆動回路、コントローラ（例えば、デジタル信号プロセッサ）、電流／電圧センサ、ＤＣスイッチ、（回路１０００の一つまたは複数の構成要素のドロップアウトまたは故障の場合に、スイッチをオフにするように構成された）ＤＣＤ、ＡＣスイッチ、などを提供する追加的回路を含み得る。
【０１０９】
一部の態様によれば、接続ボックス２０５は、電圧スパイクを検出しかつ電圧スパイクから電子装置を保護するように設計されたサージ保護検出回路（または装置）および（例えば、電線などで接続された）サーミスタ、ヒューズなどを含む過熱検出回路などの保護回路を含み得る。
【０１１０】
一部の態様によれば、接続ボックス２０５は、電気システム１０００をＡＣ三相グリッドに接続する前に、電気システム１０００が安全かつその仕様に従って実行されることを確実にするように構成された試運転回路（ｐｒｅ−ｃｏｍｍｉｓｓｉｏｎｉｎｇ  ｃｉｒｃｕｉｔ）を含み得る。接続ボックスは、試運転テスト（例えば、リレーテスト、アイソレーションテスト、マッピングなど）のための電力を供給するように構成されたパワーバンク回路への内部／外部接続を含み得る。パワーバンク回路は、試運転回路に安全なＤＣ電力を供給し得、そのため、ＡＣグリッドへの接続の有無にかかわらず、試運転テストが実行され得る。試運転回路は、ＡＣグリッドへの接続に顕著な時間を要し得る大型太陽光発電システムにとって特に重要な特徴であり得る。
【０１１１】
誘導素子Ｌ３〜Ｌ５（Ｌ３Ａ、Ｌ３Ｂ、Ｌ３Ｃ、Ｌ４Ａ、Ｌ４Ｂ、Ｌ４Ｃ、Ｌ５Ａ、Ｌ５Ｂ、およびＬ５Ｃ）は、例えば、フィルターインダクタ、差動インダクタ、コモンモードチョークインダクタなど、リレーレッグにわたって連結された様々な誘導素子のインダクタンス値を含み得る。Ｌ３〜Ｌ５で表される様々な誘導素子は、リレーレッグに沿った異なる素子と連結され得る。一部の態様によれば、誘導素子Ｌ３〜Ｌ５は、コンバータ２の出力端子と第一のスイッチ接点（例えば、リレーＲＥ５Ａ／ＲＥ５Ｂ／ＲＥ５Ｃ、リレーＲＥ７Ａ／ＲＥ７Ｂ／ＲＥ７Ｃ、リレーＲＥ９Ａ／ＲＥ９Ｂ／ＲＥ９Ｃ）との間、または第一のスイッチ接点と三相インバータ２０１Ａ／２０１Ｂ／２０１Ｃの出力端子との間で連結され得る。
【０１１２】
一部の態様によれば、リレーアレイの異なるリレーレッグの複数のリレー（二つ以上）は、多極リレーモジュールで実装され得る。例えば、リレーＲＥ５Ａ、リレーＲＥ７ＡおよびリレーＲＥ９Ａは、第一の共通制御コイルを共有する第一の三極リレーモジュールに組み込まれてもよく、リレーＲＥ６、ＲＥ８、およびＲＥ０は、第二の共通制御コイルを共有する第二の三極リレーモジュールに組み込まれてもよい。多極リレーモジュールを使用することにより、三相インバータ２０１Ａ／２０１Ｂ／２０１Ｃおよび接続ボックス２０５のサイズの縮小、動作中の散逸エネルギーの低減、および製造コストの削減という利益がもたらされ得る。
【０１１３】
一部の態様によれば、リレーアレイのリレーＲＥ５〜ＲＥ９およびＲＥ０の少なくとも一つは、ラッチリレーとし得る。ラッチリレーを使用することにより、三相インバータ２０１および接続ボックス２０５のサイズの縮小、動作中の散逸エネルギーの低減、および製造コストの削減という利益がもたらされ得る。
【０１１４】
一部の態様によれば、電気システム１０００は、一つまたは複数の制御回路を含み得る。例えば、三相インバータ２０１または接続ボックス２０５のうちの一つは、図２の制御回路２０に類似した制御回路を含み得る。
【０１１５】
一部の態様によれば、接続ボックス２０５のリレーレッグは三相インバータ２０１の三つの異なるリレーレッグを含み得る。例えば、接続ボックス２０５のリレーレッグは、第一のインバータ２０１の第一のリレーレッグ、第二のインバータ２０１の第二のリレーレッグ、および第三のインバータ２０１の第三のリレーレッグを含み得る。
【０１１６】
一部の態様によれば、制御回路２５は、通信回路（例えば、ＲＳ−４８５通信回路、送電線通信回路、Ｗｉ−Ｆｉ通信回路、Ｚｉｇｂｅｅ通信回路など）を通して、制御回路２０Ａ／２０Ｂ／２０Ｃと通信し得る（例えば、データの送受信など）。例えば、制御回路は、制御回路２０Ａ／２０Ｂ／２０Ｃに命令（例えば、ＰＬＣ信号）を送信して、リレー、ＡＣグリッドの一つまたは複数の電気パラメータ（例えば、電圧、電流）を接続／切断し得る。別の例では、制御回路２０Ａ／２０Ｂ／２０Ｃの一つは、制御回路２５に、対応するＤＣ電源が故障中である、発電していない、などを示す信号を送信してもよい。
【０１１７】
一部の態様によれば、接続ボックス２０５は、第一のリレーレッグおよび第二のリレーレッグのそれぞれに二つ以上のリレーを含み得る。例えば、リレーＲＥ６、ＲＥ８、およびＲＥ０に加えて、第一、第二、および第三のリレーレッグは第四、第五、および第六のリレーをそれぞれ含み得、そのため、接続ボックス２０５は合計で六つのリレー（すなわち、各相に対して二つのリレー）を含み得る。このような場合、インバータ２０１Ａ／２０１Ｂ／２０１Ｃは、インバータ２０１Ａ／２０１Ｂ／２０１Ｃのリレーおよび制御回路２０Ａ／２０Ｂ／２０Ｃを含まない場合も有り、接続ボックス２０５の制御回路２５は制御ロジックを共有または互いに通信して、電気システム１０００の適切な動作を支持する（例えば、起動プロセスの同期化、発電タイミングなど）。
【０１１８】
ここで図１１ａを参照すると、安全装置（例えば、ピン、トグル、電子安全ピンなど）を備えたリレーアレイ（またはその一部）を示す。
【０１１９】
本明細書の開示の態様において、リレーアレイは、ラッチリレーの早期の導電を防止するよう設計された切断ロックピンなどの安全装置を備え得る。例えば、安全装置は、装置からグリッドへ、またはグリッドから装置への電力供給を開始するのに適切な時間より前に、ラッチリレーがオンになることを防止し得る。安全装置は、スイッチ接点を制御する電気機械的機構がスイッチ接点の接続を行うことを防止し得、それによってリレーアレイを含む電子装置のグリッドへの据付前および据付中に、回路からグリッドへ、またはその逆に、電流が流れないことが確保される。コイルが起動されたかどうかによって既知のオン状態またはオフ状態にある電磁リレーとは対照的に、ラッチリレーは、電力パルスに応答してオン／オフ状態を切り替え、振動およびシステムの据付サイトへの輸送中に発生し得る他の物体との接触などの機械的な力によって、状態を変更させ得る機械的ラッチを含む。従って、安全装置は、ラッチリレーの初期状態がオフ状態であることを確実にし得る。安全装置がない限り、ラッチリレー用いたシステムの据付業者は、ラッチリレーが最初にオフ状態に設定されていることを確認するために追加的なステップを取る必要がある場合があり、これはシステムの据付における据付費の上昇と人為的エラーによる信頼性の低下をもたらし得る。したがって、安全装置は、電子装置（例えば、インバータ）でのラッチリレーの使用を実用的にし得る。安全装置は、安全装置の取り外しを可能にし得る機械的または電気的機構（例えば、レバー、磁石、ハンドルなど）を備え得る。安全装置の取り外しは、電力パルスの発生、スイッチ接点の接続により可能とし得る。据付完了後、リレー接点をオンにしてグリッドに回路を接続することができるように、据付業者によって安全装置は取り外され得る。
【０１２０】
図１１ａでは、複数のラッチリレー１６を含むリレーアレイ１１００は、電気システム（例えば、インバータ）に組み込まれ得る。各ラッチリレー１６は、電気機械的スイッチ接点１８および制御ピン１９を含み得る。制御ピン１９は、制御信号（例えば、コントローラ、デジタル信号処理［ＤＳＰ］、フィールドプログラマブルゲートアレイ［ＦＰＧＡ］）を生成または送信し得る構成要素への制御信号伝送線／導体を介して接続され得る。各ラッチリレー１６は、対応するバス／グリッド／線の端子に接続された端子（図では図示せず）を含み得る。
【０１２１】
各電気機械的スイッチ接点１８は、二つの状態／位置を有し得る。第一の状態／位置は、  スイッチ接点１８の上方水平面が、対応するラッチリレー１６の本体表面と部分的または全面接触し得る場合であり得る。スイッチ接点１８が第一の状態／位置にある場合、スイッチ接点１８は機械的および電気的に接続され、対応するラッチリレー１６が導電し得る。
第二の状態／位置は、スイッチ接点１８の上方水平面が、対応するラッチリレー１６の本体表面から間隙を有し得る場合であり得る。スイッチ接点１８が第二の状態／位置にある場合、スイッチ接点１８は機械的および電気的に切断され、対応するラッチリレー１６は回路開放状態であり得る。
【０１２２】
各ラッチリレー１６は電気機械的／電気的／機械的機構を有し得、対応する制御ピン１９を介して制御信号を受信することに基づいて、対応するスイッチ接点１８の状態／位置を、第一の状態／位置から第二の状態／位置に、またはその逆に、変更させ得る。制御信号の受信がないと、ラッチリレー１６および対応するスイッチ接点１８は、最後の状態／位置（例えば、第一の状態／位置または第二の状態／位置）のまま留まり得る。
【０１２３】
一部の態様によれば、リレーアレイ１１００は、安全装置１２に連結され得る。安全装置１２は、ロック機構１４（例えば、ナット、リンチピン、留め金など）によって固定されてもよく、これは電気システムの要素と連結されてもよく、または電気システムに組み込まれてもよい。この場合、安全装置１２は、ロック機構１４の開口部（例えば、微小開口部）を通して螺合し得る。
【０１２４】
安全装置１２は、スイッチ接点１８の上部水平面と対応するラッチリレー１６の本体の表面との間に位置してもよく、それによって、スイッチ接点１８の上部水平面が対応するラッチリレー１６の本体の表面と接触することを防止し、ラッチリレー１６および対応するスイッチ接点１８が、第二の状態／位置（例えば、切断および回路開放状態）にあるように強制する。
【０１２５】
この場合、ロック機構１４は、ロック機構１４の表面の縦軸に（例えば、矢印が示す方向に）安全装置１２を引き出すことによってのみ安全装置１２の取り外しを可能にし得る。安全装置１２は、スイッチ接点１８の上方水平面と対応するラッチリレー１６の本体の表面との間の間隙から引き出され得、ラッチリレー１８の電気機械的機構は、対応する制御ピン１９を介して制御信号を受信することに基づき、対応するスイッチ接点１８の状態を第一の状態／位置に変更させることができる。
【０１２６】
一部の例では、安全装置１２は、使用後にリサイクルまたは廃棄される単回使用のために設計された（例えば、プラスチック、ゴム、または類似の費用効果の高い材料で作られた）使い捨て安全ピンであってもよい。
【０１２７】
図１１ａのリレーアレイ１１００の安全ピンは、図１〜１０に示すリレーアレイのいずれかに組み込まれ得る。
【０１２８】
ここで図１１ｂを参照すると、電気システム（例えば、インバータ）に組み込まれた安全装置を示す。図１１ｂの破線の円によって強調されるように、安全装置２６（図１１ａの安全装置１２と類似）は、インバータ１１０１のケーシング３０と連結され得る。例えば、安全装置２５は、インバータ内側のラッチリレーから、ケーシング３０内のアパーチャ（例えば、穴、開口部など）を通してインバータ外側の領域に延在し得る。これにより、安全装置２６を便利に取り外すための手段（例えば、インバータのリッドまたはケーシングを取り外す必要なく）が人（例えば、インバータの据付業者）にもたらされる。安全装置２６は、ケーシング３０に組み込まれ得る図１１ａのロック機構１４の例など、一つまたは複数のロック機構（この図では図示せず）によって固定され得る。安全装置２６がインバータ１１０１内に配置されている限り、図１１ａのラッチリレー１８は、第二の状態／位置にあってもよく、導電しない。
【０１２９】
この場合、ケーシング３０の表面の縦軸に安全装置２５を引き出すことにより、安全装置２６の取り外しが可能となりうる。この方法で安全装置２６を引くことは、安全装置２６を取り外すための唯一の実際的な方法（例えば、インバータを損傷することなく）であり得る。安全装置２６はケーシング３０から引き出され得、図１１ａのラッチリレー１８の電気機械的機構は、図１１ａの対応する制御ピン１９を介して制御信号を受信することに基づき、図１１ａの対応するスイッチ接点１８の状態／位置を第一の状態／位置に変更させて、導電することを可能とし得る。
【０１３０】
ここで図１２を参照すると、制御回路（またはその一部）のブロック図を示す。図１２では、図１２００は、入力データ９７を受信することに基づいて、制御信号（Ｓ３、Ｓ５）を制御コイル駆動回路９４に提供し得る制御回路９１を含む。制御信号（Ｓ３、Ｓ５）に基づき、制御コイル駆動回路９４は、ラッチリレー（例えば、図３のラッチリレーＬＲＥ１およびＬＲＥ３または図６のラッチリレーＬＲＥ５〜ＬＲＥ１０）の少なくとも二つの制御コイルを駆動して、制御コイルに磁場を生成し、スイッチ接点の状態／位置（例えば、導電中／オンまたは非導電中／オフ）を変更し得る電気機械的機構を起動させ得る電力パルスを制御コイルに提供し得る。
【０１３１】
電力デジタル信号処理（ＤＳＰ）９２、コントローラ（フィールドプログラマブルゲートアレイ（ＦＰＧＡ）／複合プログラム可能論理デバイス（ＣＰＬＤ）９３／埋め込みコントローラ、デジタル論理回路など）、切断および監視（ｄｉｓｃｏｎｎｅｃｔｉｏｎ＆ｍｏｎｉｇｏｒｉｎｇ）回路９５、およびパワーバンク９６は、制御回路９１と総称され得る。制御回路９１は、図１の制御回路１０、または図２の制御回路２０と同様であり得る。制御回路９１は、電子装置（例えば、インバータ）、リレー、接続ボックス、リレーアレイなどに組み込まれ得る。
【０１３２】
制御コイル駆動回路９４は、電源Ｖｄｃ＋およびＶｄｃ−によって対応する制御コイルを駆動するための電力を受け取り得る。
【０１３３】
一部の態様によれば、入力データ９７（例えば、電気回路の電気パラメータの測定または推定、イネーブル信号、外部コマンド）または電力ＤＳＰ９２によってなされる決定に基づいて、制御回路９１は、対応するラッチリレーのスイッチ接点に接続し、電気回路を対応するグリッド相に接続するように制御コイル駆動回路９４に命令し得る制御信号Ｓ３（例えば、接続信号）を生成し得る。
【０１３４】
一部の態様によれば、一つまたは複数の検出された、電気回路または電気回路に連結されたグリッドの遮断、故障、およびトリップゾーン（例えば、思わぬ高電圧または高電流）を示し得る入力データ９７に基づいて、制御回路９１は、対応するラッチリレーのスイッチ接点を切断するように制御コイル駆動回路９４に命令し得る制御信号Ｓ５（例えば、切断信号）を生成し、電気回路を対応するグリッド相から切断する。
【０１３５】
電力ＤＳＰ９２は、様々なタイプの入力データ９７（例えば、電流検知、電圧検知、温度検知）を含む信号Ｓ８を受信し得る。（ｉ）分析；（ｉｉ）プログラムされたアルゴリズム；および／または（ｉｉｉ）動的意思決定に基づいて、電力ＤＳＰ９２は制御信号Ｓ１を生成し、ＦＰＧＡ／ＣＰＬＤ９３に、接続、切断またはラッチリレーの同じ状態を維持するか否かを示す。ＦＰＧＡ／ＣＰＬＤ９３は、様々なタイプの入力データ９７（例えば、信号Ｓ８と類似または異なる）を含む信号Ｓ７を受信し得、また、概してハードウェア障害（例えば、トリップゾーン）が発生した時に、グリッドからの切断を決定するオプションを有し得る。このようなシナリオでは、ＦＰＧＡ／ＣＰＬＤ９３は信号Ｓ２を生成し、電力ＤＳＰに切断について通知し、切断を生じさせ得る。このような方法で、電力ＤＳＰ９２の故障の場合、ＦＰＧＡ／ＣＰＬＤ９３は電力ＤＳＰ９２のバックアップおよび冗長化要素として機能し得る。
【０１３６】
電気回路をグリッドに接続する決定により、ＦＰＧＡ／ＣＰＬＤ９３は所定の信号Ｓ３（例えば、パルス）を生成し、制御コイル駆動回路９４にラッチリレーの制御コイルを駆動し、スイッチ接点の接続を生成するように示す。
【０１３７】
ＦＰＧＡ／ＣＰＬＤ９３はまた信号Ｓ４を生成し得、それによって切断および監視回路９５に、制御コイル駆動回路９４を制御してラッチリレーを切断する時を示すタイマーリセットを提供する。一部の実施例では、信号Ｓ４は、所定のシナリオを除いて、パルス幅変調（ＰＷＭ）信号（例えば、５０％の負荷サイクルを有する信号）であり得る。例えば、ＦＰＧＡ／ＣＰＬＤ９３が信号Ｓ４をＰＷＭ信号と区別し得るシナリオは、信号Ｓ１がＦＰＧＡ／ＣＰＬＤ９３に、ラッチリレーおよび電気回路をグリッド相から切断することを示す場合、またはＦＰＧＡ／ＣＰＬＤ９３がグリッド相からの切断を決定する場合であり得る。例えば、こうしたシナリオでは、ＦＰＧＡ／ＣＰＬＤ９３はＤＣ信号として信号Ｓ４を生成し得る。
【０１３８】
ＰＷＭ信号とは異なり得る信号Ｓ４の発生によって、切断および監視回路９５は信号Ｓ５を生成し、制御コイル駆動回路９４を制御してラッチリレーおよび電気回路をグリッド相から切断し得る。
【０１３９】
一部の例では、ＰＷＭ信号とは異なる信号Ｓ４は、電源Ｖｄｃ＋およびＶＤｃ−のうちの一つが故障したか、または不具合がある場合に発生し得る。したがって、切断および監視回路９５は、パワーバンク９６（例えば、エネルギー貯蔵部）と連結され得、所定の量のエネルギーを貯蔵して制御コイルを駆動し得る。所定の量のエネルギーは、ラッチリレーのスイッチ接点の状態を変化させ得る電力パルスを生成するのに必要な最小エネルギーを示す閾値より大きくてもよい。このような場合、パワーバンク９６は、切断および監視回路９５に電力パルスＰ１を提供し得る。
【０１４０】
一部の例では、制御回路９１は、閾値を超えるレベルになるようにパワーバンク９６の充電を制御し、確実にし得る。パワーバンク９６は、制御システム９１に連結された、または制御システム９１に組み込まれた一つまたは複数の電源から充電され得る。複数の電源は、冗長化の利点をもたらし得る。
【０１４１】
一部の例では、電力ＤＳＰ９２は、信号Ｓ９を送信または受信することによって、パワーバンク９６の一部の電気パラメータ（例えば、電圧、電流、電力、温度）を検知または測定し得る。
【０１４２】
制御回路９１のサブ回路または制御回路９１に連結された回路（図示せず）は、回路の動作中ずっと閾値を超えるエネルギー量の貯蔵を確保し得る。
【０１４３】
切断および監視回路９５は、信号Ｓ５を生成する時間間隔を制御し得るタイミング回路を含み得る。時間間隔は、制御コイルを駆動するのに必要な最小時間を超えてもよい。
【０１４４】
監視回路９５により、ＦＰＧＡ／ＣＰＬＤ９３に故障または不具合がある場合のシナリオの冗長化をもたらし得る。例えば、ＦＰＧＡ／ＣＰＬＤ９３に故障または不具合がある場合のシナリオでは、ＦＰＧＡ／ＣＰＬＤ９３はＰＷＭ信号として信号Ｓ４を生成せず、代わりに監視回路９５が制御プロセスを開始してラッチリレーを切断し得る。
【０１４５】
ここで図１３を参照すると、パワーバンク回路（またはその一部）のブロック図を示す。パワーバンク１３１（例えば、エネルギー貯蔵部）は、所定量のエネルギーを貯蔵して、切断および監視回路１３５にラッチリレーの制御コイルを駆動するための電力パルスを提供し得る。
【０１４６】
所定量のエネルギーは閾値超であってもよいが、これは制御コイルで磁場を生成し、ラッチリレーのスイッチ接点状態／位置（例えば、導電状態／オンまたは非導電状態／オフ）を変更し得る電気機械的機構を起動し得る電力パルスを生成するのに必要な最小エネルギーを示す。
【０１４７】
切断および監視回路１３５は、図１２の切断および監視回路９５またはその他のものに類似し得る。切断および監視回路１３５は、電子装置（例えば、インバータ）に組み込まれ得る。
【０１４８】
ＤＳＰ１３６は、図１２の電力ＤＳＰ９２またはその他のものと類似し得る。ＤＳＰ１３６は、電子装置（例えば、インバータ）に組み込まれ得る。
【０１４９】
スイッチ回路１３３、貯蔵部１３４（例えば、コンデンサ、バッテリ）、および測定回路１３７はパワーバンク１３１と総称され得る。パワーバンク１３１は、図１２のパワーバンク９６と類似し得る。パワーバンク１３１は、電子装置（例えば、インバータ）に組み込まれ得る。
【０１５０】
電源１３２は、電子装置（例えば、インバータ）の内部または外部にあるローカル電源であり得る。電源１３２（例えば、補助回路）は、パワーバンク１３１にＤＣ電圧を供給し得る。複数の電力供給は、冗長化の利点をもたらし得る。
【０１５１】
電気回路をグリッドに接続する決定に基づいて、電源１３２は、スイッチ回路１３３を介して電力貯蔵部１３４に電力を供給し得る。ＤＳＰ１３６は、制御信号Ｓ１１を生成し、スイッチ回路１３３を制御して、電源１３２を貯蔵部１３４に接続または切断し得る。スイッチ回路１３３は、電力デジタル信号処理（ＤＳＰ）１３６からの信号Ｓ１１の受信に基づいて、導電または非導電して貯蔵部１３４を充電または放電し得る。
【０１５２】
一部の例では、測定回路１３７（例えば、電圧センサ、電圧計）は、貯蔵部１３４の一つまたは複数の電気パラメータ（例えば、電圧、電流、電力、温度）を連続的または断続的に（例えば、定期的に）検知または測定して、貯蔵部１３４が閾値を超えるレベルの電圧／電力を貯蔵することを確実にし得る。測定回路１３７は、ＤＳＰ１３６に、一つまたは複数の電気パラメータの測定値を示すデータを提供するアナログおよび／またはデジタル信号Ｓ１０を送信し得る。
【０１５３】
電気回路をグリッドから切断する決定に基づいて、ＤＳＰ１３６は、信号Ｓ１１（例えば、ゼロ電圧）を生成してスイッチ回路１３３を制御して電源１３２により供給された貯蔵部１３４への電力を遮断しない場合があり、それによって貯蔵部１３４に貯蔵された電力の、切断および監視回路１３５の方への放電を生じさせ、ラッチリレーの制御コイルを駆動してスイッチ接点の切断を引き起こす。
【０１５４】
同様に、ＤＳＰ１３６の不具合（またはＤＳＰ１３６が信号Ｓ１１の送信を停止し得る他の理由）の場合、貯蔵部１３４はまた、切断および監視回路１３５に閾値を超え得るエネルギー量（例えば、所定量のエネルギー）を提供し得る。
【０１５５】
ここで図１４を参照すると、本開示の態様による、電気システム１４００の図を示す。
【０１５６】
本明細書本開示の態様では、電気回路３０５は、電気回路（例えば、インバータ）の出力をグリッドに接続し得る一つまたは複数のリレーレッグを含む、（例えば、図１０ａの接続ボックス２０５と類似した）接続ボックス３２０を含み得る。各リレーレッグは、一つまたは複数のリレーおよび／またはリレー接点を含み得る。
【０１５７】
電気回路３０５は、複数のＤＣ電源（例えば、太陽光発電［ＰＶ］ソーラーパネル、ＰＶモジュール、ＰＶアレイ／ストリング、ＤＣ−ＤＣ変換器）の出力を、電気回路（例えば、インバータ）の入力に接続し得る。例えば、図１４に示すように、電気回路３０５は、複数の入力ＤＣ端子ＤＣｉｎ１、ＤＣｉｎ２、ＤＣｉｎ３、ＤＣｉｎ４、ＤＣｉｎ５、およびＤＣｉｎ６を含み得る。ＤＣ電源のＤＣ  Ａ、ＤＣ  Ｂ、およびＤＣ  Ｃは、対応する一対の入力ＤＣ端子、ＤＣｉｎ１−ＤＣｉｎ２、ＤＣｉｎ３−ＤＣｉｎ４、およびＤＣｉｎ５−ＤＣｉｎ６にわたって連結され得る。
【０１５８】
電気回路３０５は、例えば、図１４の出力ＤＣ端子、ＤＣｏｕｔ１、ＤＣｕｏｕｔ２、ＤＣｏｕｔ３、ＤＣｏｕｔ４、ＤＣｏｕｔ５、およびＤＣｏｕｔ６、などの複数の出力ＤＣ端子を含み得る。複数のインバータ（例えば、単相インバータ、三相インバータ）は、出力ＤＣ端子の各対に連結され得る。例えば、三相インバータ３０１Ａ、３０１Ｂ、および３０１Ｃは、電気回路３０５に連結され得る。各三相インバータ３０１（例えば、３０１Ａ、３０１Ｂ、および３０１Ｃ）の入力端子は、対応する出力ＤＣ端子の対、ＤＣｏｕｔ１−ＤＣｏｕｔ２、ＤＣｏｕｔ３−ＤＣｏｕｔ４、およびＤＣｏｕｔ５−ＤＣｏｕｔ６にわたって連結され得る。各三相インバータ３０１（例えば、３０１Ａ、３０１Ｂ、および３０１Ｃ）の出力端子は、例えば、入力ＡＣ端子ＡＣｉｎ１、ＡＣｉｎ２、ＡＣｉｎ３、ＡＣｉｎ４、ＡＣｉｎ５、ＡＣｉｎ６、ＡＣｉｎ７、ＡＣｉｎ８およびＡＣｉｎ９などの電気回路３０５の複数の入力ＡＣ端子を介して電気回路３０５に連結され得る。
【０１５９】
電気回路３０５の複数の入力ＡＣ端子の各入力ＡＣ端子は、接続ボックス３２０に連結され得る（任意で、直列抵抗器、スイッチ、ＡＣサージ保護装置（ＳＰＤ）、サーミスタ、センサなどの追加的回路素子に連結され得る。接続ボックス３２０の出力は、複数の出力ＡＣ端子に連結され得る。例えば、接続ボックス３２０は、複数の出力ＡＣ端子ＡＣｏｕｔ１、ＡＣｏｕｔ２、およびＡＣｏｕｔ３に連結され得、ＡＣグリッド（例えば、三相ＡＣグリッド）に電力（例えば、ＡＣ電圧、正弦波電圧）を提供するように構成され得る。
【０１６０】
こうした接続ボックス３２０の使用は、電気回路（例えば、インバータ）のそれぞれにおけるリレー接点の数を減少させ得る。例えば、接続ボックスに連結された五つの三相インバータを有する回路は、合計６個のリレー接点（接続ボックスの各相に対して二つのリレー）または１８個のリレー接点（各インバータの各相に対して一つのリレーおよび接続ボックスの各相に対して一つのリレー）を含み得る。各インバータが、インバータの各相出力とグリッドの間の二つの接点を必要とするグリッドコードに対応する場合、接続ボックスなしで、回路は３０のリレーを有し、各インバータにおける各相に対し二つのリレーを有する。
【０１６１】
一部の態様によれば、接続ボックスの使用は、リレーを制御する制御信号の数も減少させ得る。上記の例を参照すると、接続ボックスに連結された五つの三相インバータを有する回路は、三つの制御信号によって制御される６つのリレー接点、および六つの制御信号により制御される１８個のリレー接点を含み得る接続ボックスを有し、各インバータはそのインバータの三つのリレー接点の全てを制御する共通制御信号（五つの制御信号）、および接続ボックスの三つのリレー接点の全てを制御する一つの制御信号を有する。接続ボックスがない場合、回路は少なくとも十個の制御信号―各インバータに対して少なくとも二つの制御信号―を特徴とし、各相が独立して制御されるために二つの接点を要求するグリッドコード／規格に従い得る。
【０１６２】
複数のＤＣ電源からＤＣ電力を受け取り、複数のＤＣ／ＡＣインバータにＤＣ電力を供給し、複数のＤＣ／ＡＣインバータにより供給されたＡＣ電力を受け取り、ＡＣグリッドにＡＣ電力を供給するように構成された電気回路３０５のような電気回路は、電力消費量の低減および製造コストの低減を提供し得る。
【０１６３】
一部の態様によると、電気回路３０５などの電気回路は、複数のＤＣ電源からＤＣ電力を受け取り、複数のＤＣ／ＡＣインバータにＤＣ電力を供給し、複数のＤＣ／ＡＣインバータにより供給されたＡＣ電力を受け取り、ＡＣグリッドにＡＣ電力を供給するように構成される。電気回路は、より多くの特徴を提供する任意の追加的回路を含み得る。複数のＤＣ電源および／または複数のＤＣ／ＡＣインバータのための共通回路としてのいくつかの追加的回路の使用のおかげで、電気回路（例えば、電気回路３０５）は、電力消費量の低減および製造コストの低減という追加的利益を提供し得る。
【０１６４】
例えば、一部の態様によれば、電気回路は、電圧スパイクを検出しかつ電圧スパイクから電子装置を保護するように設計されたサージ保護検出回路（または装置）および／または（例えば、電線などで接続された）サーミスタ、ヒューズなどを含む過熱検出回路などの故障またはリスク検出回路を含み得る。例えば、電気回路３０５は、ＤＣサージ保護装置（ＳＰＤ）３２１およびＡＣサージ保護装置（ＳＰＤ）３２２を備え得る。ＤＣサージ保護装置（ＳＰＤ）３２１は、複数の入力ＤＣ端子ＤＣｉｎ１、ＤＣｉｎ２、ＤＣｉｎ３、ＤＣｉｎ４、ＤＣｉｎ５、およびＤＣｉｎ６、ならびに複数の出力ＤＣ端子ＤＣｏｕｔ１、ＤＣｏｕｔ２、ＤＣｏｕｔ３、ＤＣｏｕｔ４、ＤＣｏｕｔ５、およびＤＣｏｕｔ６の間に連結され得る。ＡＣサージ保護装置（ＳＰＤ）３２２は、複数の出力ＡＣ端子ＡＣｏｕｔ１、ＡＣｏｕｔ２、およびＡＣｏｕｔ３と接続ボックス３２０の間に、または接続ボックス３２０と複数の入力ＡＣ端子ＡＣｉｎ１、ＡＣｉｎ２、ＡＣｉｎ３、ＡＣｉｎ４、ＡＣｉｎ５、ＡＣｉｎ６、ＡＣｉｎ７、ＡＣｉｎ８およびＡＣｉｎ９との間に連結され得る。電圧スパイク、過熱などが発生した場合、ＤＣ  ＳＰＤおよび／またはＡＣ／ＳＰＤは故障を検出し得る。故障検出に基づいて、保護回路（例えば、スイッチ、リレー、ＳＰＤなど）は、複数のＤＣ電源および／または複数のＤＣ／ＡＣインバータから電気回路３０５を切断して電気回路３０５を保護し得る。電気回路３０５は、ＤＣスイッチなどの保護回路、（電気回路１４００の一つまたは複数の構成要素のドロップアウトまたは故障の場合にスイッチをオフにするように構成された）ＤＣＤ、ＡＣスイッチなどの保護回路を含み得る。
【０１６５】
一部の態様によれば、電気回路は、複数のＤＣ／ＡＣインバータおよび／または複数のＤＣ電源（例えば、ＤＣ−ＤＣコンバータ）と通信するように構成された共通の通信インターフェースを備え得る。例えば、接続ボックス３２０は、ＲＳ−４８５通信回路、電力線通信回路、Ｗｉ−Ｆｉ通信回路、またはＺｉｇｂｅｅ通信回路として実装され得る通信インターフェース３２３を備え得る。通信インターフェースは、変化する太陽光照射、温度などのような変化する条件の下、ＰＶパネルのピーク電力点またはそれに近い点でＰＶシステムに動作を継続させる最大電力点追従制御（ＭＰＰＴ）アルゴリズムを実施するのに使用され得る。
【０１６６】
一部の態様によれば、電気回路は、複数のＤＣ／ＡＣインバータおよび／または複数のＤＣ電源（例えば、太陽光発電［ＰＶ］ソーラーパネル、ＰＶモジュール、ＰＶアレイ／ストリング）のための共通のＰＩＤ現象（ＰＩＤ）回路を含み得る。例えば、電気回路３０５は、ＰＩＤ回路３２６および／またはＰＩＤ夜間回路３２７を含み得る。ＰＩＤ現象（ＰＩＤ）回路を使用することにより、電気システム１４００のサイズの縮小、電気システム１４００動作中の散逸エネルギーの低減、および製造コストの低減という利益がもたらされ得る。
【０１６７】
一部の態様によれば、電気回路３０５は、電気システム１４００をＡＣ三相グリッドに接続する前に、電気システム１４００が安全かつその仕様に従って実行されることを確実にするように構成された試運転回路（ｐｒｅ−ｃｏｍｍｉｓｓｉｏｎｉｎｇ  ｃｉｒｃｕｉｔ）３２５を含み得る。電気回路３０５は、試運転テスト（例えば、リレーテスト、アイソレーションテスト、マッピングなど）のために電力を供給するよう構成されたパワーバンク回路への内部／外部接続を含み得る。パワーバンク回路は、試運転回路３２５に安全なＤＣ電力を供給し得、そのため、ＡＣグリッドへの接続の有無にかかわらず、試運転テストが実行され得る。例えば三つの三相インバータ３０１Ａ、３０１Ｂ、および３０１Ｃなどの複数のインバータ（例えば、単相インバータ、三相インバータ）のための集中型試運転回路３２５は、据付および試運転プロセスを容易にし、それによって試運転および据付コストを低減させ得る。試運転回路３２５は、ＡＣグリッドへの接続に顕著な時間を要し得る大型太陽光発電システムにとって特に重要な特徴であり得る。
【０１６８】
一部の態様によれば、電気回路３０５は電源３２４を含み得る。電源３２４は、システム１４００の初期化（例えば、夜間の後の発電）、試運転テスト、対応するコンバータ３Ａ、３Ｂおよび３Ｃの制御回路３０Ａ、３０Ｂおよび３０Ｃの電源などに使用され得る。
【０１６９】
一部の態様によれば、電気回路３０５は、共通のラピッドシャットダウン（ＣＲＳＤ）回路３２８を含み得る。共通のラピッドシャットダウン（ＣＲＳＤ）回路３２８は、寄生コンデンサによって蓄積された電位を放出するように構成され得る。ＣＲＳＤ回路３２８は、複数のＤＣ電源（例えば、太陽光発電［ＰＶ］ソーラーパネル、ＰＶモジュール、ＰＶアレイ／ストリング）、例えば、入力ＤＣ端子ＤＣｉｎ１、ＤＣｉｎ２、ＤＣｉｎ３、ＤＣｉｎ４、ＤＣｉｎ５、およびＤＣｉｎ６のうちの一つまたは複数に接続され得る。一部の場合では、ＣＲＳＤ回路３２８は、正のＤＣ端子（例えば、ＤＣ＋バス）および／または負の端子（例えば、ＤＣ−バス）に接続され得る。
【０１７０】
ＣＲＳＤ回路３２８は、少なくとも一つの放電スイッチおよび少なくとも一つの放電抵抗器を含み得る。例えば、少なくとも一つの放電抵抗器は、正のＤＣ端子（例えば、ＤＣ＋バス）と少なくとも一つの放電スイッチとの間に接続され得る。放電スイッチはまた、接地／アース電位に接続され得る。その他の場合、放電スイッチは、正のＤＣ端子（例えば、ＤＣ＋バス）と少なくとも一つの放電抵抗器との間に接続され得、少なくとも一つの放電抵抗器はまた、設置／アース電位に接続され得る。
【０１７１】
上述のように、ＣＲＳＤ回路３２８は、例えば、検出回路３２９によって実施された測定値に基づいて、放電を実施すべきであるという一つまたは複数の指示に基づいて、および／またはその指示に応答して、放電を実施するように構成され得る。
【０１７２】
一部の態様によれば、電気回路３０５は、一つまたは複数のセンサを含む検出回路を含み得る。例えば、電気回路３０５は、一つまたは複数のセンサを含む検出回路３２９を含み得る。検出回路３２９は、回路１４００を示す一つまたは複数のパラメータを決定するために使用され得る。検出回路３２９は、例えば、時計、タイマー、モーションセンサ、磁気センサ、近接センサ、モーションセンサ、照射センサ、温度センサ、電流センサ、電圧センサ、電力センサなどを含み得る。回路１４００を示す検出されたパラメータに基づいて、電気回路３０５の他の回路は、例えば試運転回路３２５、ＣＲＳＤ回路３２８、システム１４００の初期化（夜間の後の発電）などのその特徴を実施するよう動作し得る。
【０１７３】
当業者であれば、本開示の添付の特許請求の範囲において、および特許請求の範囲によって定義された範囲から逸脱することなく、説明した例にさまざまな修正および変更を適用することができることを容易に理解するであろう。さらに、さまざまな修正は、番号を付された項に記載された特徴の様々な組み合わせを説明する以下の段落から容易に理解されるべきである。
【０１７４】
項目１：
第一の制御コイルによって制御される第一のスイッチ接点および第二の、異なる制御コイルによって制御される第二のスイッチ接点を介してグリッドに電力を接続するように構成されたリレーレッグを含み、少なくとも第一のスイッチ接点または第二のスイッチ接点のうちの少なくとも一つが、ラッチリレーのスイッチ接点を含む、回路。
【０１７５】
項２：
回路がグリッドの単相に接続される、項１に記載の回路。
【０１７６】
項３：
回路がグリッドの三相に接続される、項１に記載の回路。
【０１７７】
項４：
回路がグリッドの三相および中性線に接続される、項１に記載の回路。
【０１７８】
項５：
ラッチリレーが、閾値を超える電力の受け取りに応答してスイッチ接点の状態を変更するように構成される、項１〜４のいずれか一項に記載の回路。
【０１７９】
項６：
入力データの受信に基づいて、ラッチリレーを制御するように構成された制御回路を含む、項１〜５のいずれか一項に記載の回路。
【０１８０】
項７：
制御回路が、電力を出力してラッチリレーの状態を変更するように構成されたパワーバンクを含む、項６に記載の回路。
【０１８１】
項８：
制御回路が、所定の間隔でコントローラから信号を受信するように構成された監視回路を含む、項６または７に記載の回路。
【０１８２】
項９：
制御回路が、第一の制御信号を使用して第一のスイッチ接点を制御し、第二の制御信号を使用して第二のスイッチ接点を制御するように構成される、項６〜８のいずれか一項に記載の回路。
【０１８３】
項１０：
ラッチリレーが導電するのを防止するように構成された安全装置をさらに備える、項１〜９のいずれか一項に記載の回路。
【０１８４】
項１１：
ラッチリレーが、安全装置の取り外しに基づいて導電するように構成される、項１０に記載の回路。
【０１８５】
項１２：
電源から電力を受け取り、直流（ＤＣ）電力を交流電流（ＡＣ）電力に変換するように構成されたインバータをさらに備える、項１〜１１のいずれか一項に記載の回路。
【０１８６】
項１３：
第三のスイッチ接点および第四のスイッチ接点を介して電源をグリッドに接続するように構成された第二のリレーレッグをさらに含み、第二のリレーレッグの第三のスイッチ接点および第一のリレーレッグの第一のスイッチ接点が、二極リレーモジュールの異なるスイッチ接点である、項１〜１２のいずれか一項に記載の回路。
【０１８７】
項１４：
第一の制御コイルが、リレーレッグとは異なる第二のリレーレッグ上の第三のスイッチ接点を制御する、項１〜１３のいずれか一項に記載の回路。
【０１８８】
項１５：
第一のスイッチ接点が、マルチコイルラッチリレーによって制御される、項１〜１４のいずれか一項に記載の回路。
【０１８９】
項１６：
一つまたは複数の電子装置であって、第一の制御回路と、第一の端子に接続され、かつ第一の制御回路によって制御される第一のスイッチ接点を含む第一のリレーレッグ、第二の端子に接続され、かつ第一の制御回路によって制御される第二のスイッチ接点を含む第二のリレーレッグ、および、接続ボックスであって、第二の制御回路と、第二の制御回路によって制御される第三のスイッチ回路を介してグリッドに接続される第一の接続端子であって、第一の端子に接続される、第一の接続端子と、第二の制御回路によって制御される第四のスイッチ回路を介してグリッドに接続される第二の接続端子であって、第二の端子に接続される、第二の接続端子と、を含み、第一のスイッチ接点、第二のスイッチ接点、第三のスイッチ接点、または第四のスイッチ接点のうちの少なくとも一つが、ラッチリレーのスイッチ接点を含む、接続ボックスを含む、一つまたは複数の電子装置を含む、システム。
【０１９０】
項１７：
第二の制御回路が、第一の制御回路と通信するように構成される、項１６に記載のシステム。
【０１９１】
項１８：
第一のスイッチ接点および第二のスイッチ接点が、第一の制御コイルによって制御される、項１６または１７のいずれか一項に記載のシステム。
【０１９２】
項１９：
第一の接続端子が第三のリレーレッグの第三の端子に接続され、第二の接続端子が第四のリレーレッグの第四の端子に接続され、第三のリレーレッグおよび第四のリレーレッグが、第一のリレーレッグおよび第二のリレーレッグを含む第一の電子装置とは異なる第二の電子装置に属する、項１６〜１８のいずれか一項に記載のシステム。
【０１９３】
項２０：
一つまたは複数の電子装置が、第一の電源から電力を受け取り、第一の直流電流（ＤＣ）電力を第二の交流電流（ＡＣ）電力に変換するように構成された第一のインバータを備える第一の電子装置と、第二の電源から電力を受け取り、第二の直流電流（ＤＣ）電力を第二の交流電流（ＡＣ）電力に変換するように構成された第二のインバータを備える第二の電子装置と、を備える、項１６〜１９のいずれか一項に記載のシステム。
【０１９４】
項２１：
ラッチリレーの状態を変更するのに十分な電力パルスを提供するように構成されたパワーバンクをさらに備える、項１６〜２０のいずれか一項に記載のシステム。
【０１９５】
項２２：
少なくとも第一の電力パルスを使用する制御回路によって、電源をグリッドに接続するようにリレーレッグを制御することであって、前記リレーレッグが第一のスイッチ接点および第二のスイッチ接点を含み、前記第一のスイッチ接点または前記第二のスイッチ接点のうち少なくとも一つが、ラッチリレーのスイッチ接点を含む、制御することと、少なくとも第二の電力パルスを使用する制御回路によって、電源をグリッドから切断するようにリレーレッグを制御することと、を含む、方法。
【０１９６】
項２３：
第一の電力パルスを使用することが、１００〜１０００ｍｓの電力を供給することを含む、項２２に記載の方法。
【０１９７】
項２４：
ＤＣ電力を受け取るように構成された複数の入力ＤＣ端子、ＤＣ電力を複数の電気回路に供給するように構成された複数の出力ＤＣ端子、複数の電気回路からＡＣ電力を受け取るように構成された複数の入力ＡＣ端子、ＡＣ電力をグリッドに供給するように構成された複数の出力ＡＣ端子、および複数の入力ＡＣ端子を複数の出力ＡＣ端子に接続するように構成された接続ボックスを含む、装置。
【０１９８】
項２５：
複数の出力ＡＣ端子が、グリッドに接続された第一の接続端子および第二の接続端子を含み、接続ボックスが、制御回路と、制御回路によって制御され、かつ第一の接続端子に接続される第一のスイッチ接点を含む第一のリレーレッグと、制御回路によって制御され、かつ第二の接続端子に接続される第二のスイッチ接点を含む第二のリレーレッグと、を含む、項２４に記載の装置。
【０１９９】
項２６：
第一のスイッチ接点および第二のスイッチ接点のうちの少なくとも一つが、ラッチリレーのスイッチ接点を含む、項２５に記載の装置。
【０２００】
項２７：
複数の電気回路が、第一の電源から電力を受け取り、第一の直流電流（ＤＣ）電力を第二の交流電流（ＡＣ）電力に変換するように構成された第一のインバータを備える第一の電子装置と、第二の電源から電力を受け取り、第二の直流電流（ＤＣ）電力を第二の交流電流（ＡＣ）電力に変換するように構成された第二のインバータを備える第二の電子装置と、を備える、項２４〜２６のいずれか一項に記載の装置。
【０２０１】
項２８：
複数の入力ＤＣ端子のそれぞれが、太陽光発電ソーラーパネル、ＰＶモジュール、ＰＶアレイ／ストリング、またはＤＣ−ＤＣコンバータのうちの少なくとも一つからＤＣ電力を受け取るように構成される、項２４〜２７のいずれか一項に記載の装置。
【０２０２】
項２９：
接続ボックスが、制御回路によって制御され、かつグリッドに接続された第三の接続端子に接続された第三のスイッチ接点を含む、第三のリレーレッグを含む、項２４〜２８のいずれか一項に記載の装置。
【０２０３】
項３０：
装置がグリッドの単相に接続される、項２４〜２９のいずれか一項に記載の装置。
【０２０４】
項３１：
装置がグリッドの三相に接続される、項２４〜３０のいずれか一項に記載の装置。
【０２０５】
項３２：
装置がグリッドの三相および中性線に接続される、項２４〜３１のいずれか一項に記載の装置。
【０２０６】
項３３：
ラッチリレーが、閾値を超える電力の受け取りに応答してスイッチ接点の状態を変更するように構成される、項２４〜３２のいずれか一項に記載の装置。
【０２０７】
項３４：
制御回路が、入力データの受信に基づいてラッチリレーを制御するように構成される、請求項２６〜３３のいずれか一項に記載の装置。
【０２０８】
項３５：
制御回路が、電力を出力してラッチリレーの状態を変更するように構成されたパワーバンクを含む、項２５〜３４のいずれか一項に記載の装置。
【０２０９】
項３６：
制御回路が、所定の間隔でコントローラから信号を受信するように構成された監視回路を含む、項２５〜３５のいずれか一項に記載の装置。
【０２１０】
項３７：
第一のリレーレッグが、制御回路によって制御され、かつ第一のスイッチ接点に接続される第三のスイッチ接点をさらに含み、第二のリレーレッグが、制御回路によって制御され、かつ第二のスイッチ接点に接続される第四のスイッチ接点をさらに含む、項２５〜３６のいずれか一項に記載の装置。
【０２１１】
項３８：
制御回路が、第一の制御信号を使用して第一のスイッチ接点を制御し、第二の制御信号を使用して第三のスイッチ接点を制御するように構成される、項２５〜３６のいずれか一項に記載の装置。
【０２１２】
項３９：
制御回路が、第一の制御信号を使用して第二のスイッチ接点を制御し、第二の制御信号を使用して第四のスイッチ接点を制御するように構成される、項２５〜３８のいずれか一項に記載の装置。
【０２１３】
項４０：
前記ラッチリレーが導電するのを防止するように構成された安全装置をさらに備える、請求項２６〜３９のいずれか一項に記載の装置。
【０２１４】
項４１：
ラッチリレーが、安全装置の取り外しに基づいて導電するように構成される、項４０に記載の装置。
【０２１５】
項４２：
通信インターフェースをさらに備え、通信インターフェースが、ＲＳ−４８５通信回路、電力線通信回路、Ｗｉ−Ｆｉ通信回路、またはＺｉｇｂｅｅ通信回路のうちの一つを含む、項２４〜４１のいずれか一項に記載の装置。
【０２１６】
項４３：
装置に対する故障またはリスクの発生を検出するように構成された故障検出回路をさらに含む、項２４〜４２のいずれか一項に記載の装置。
【０２１７】
項４４：
ＡＣサージ保護検出回路、ＤＣサージ保護検出回路、および過熱検出回路のうちの一つをさらに含む、項２４〜４３のいずれか一項に記載の装置。
【０２１８】
項４５：
ＤＣ電力を供給するように構成された電源をさらに備える、項２４〜４４のいずれか一項に記載の装置。
【０２１９】
項４６：
装置をグリッドに接続する前にテストを実行するように構成された試運転回路をさらに含む、項２４〜４５のいずれか一項に記載の装置。
【０２２０】
項４７：
ＰＩＤ現象（ＰＩＤ）回路をさらに含む、項２４〜４６のいずれか一項に記載の装置。
【０２２１】
項４８：
ＰＩＤ現象（ＰＩＤ）回路が夜間動作するように構成される、項４７に記載の装置。
【０２２２】
項４９：
装置を示す一つまたは複数のパラメータを決定するように構成された検出回路をさらに含む、項２４〜４８のいずれか一項に記載の装置。
【０２２３】
項５０：
寄生コンデンサのために電位を放出するように構成された共通のラピッドシャットダウン回路をさらに含む、項２４〜４９のいずれか一項に記載の装置。
【０２２４】
項５１：
共通のラピッドシャットダウン回路がスイッチおよび少なくとも一つの抵抗器を含む、項５０に記載の装置。
【図１】
2020150787.tif 000003
【図２】
2020150787.tif 000004
【図３】
2020150787.tif 000005
【図４】
2020150787.tif 000006
【図５】
2020150787.tif 000007
【図６】
2020150787.tif 000008
【図７】
2020150787.tif 000009
【図８】
2020150787.tif 000010
【図９】
2020150787.tif 000011
【図１０】
2020150787.tif 000012
【図１１ａ】
2020150787.tif 000013
【図１１ｂ】
2020150787.tif 000014
【図１２】
2020150787.tif 000015
【図１３】
2020150787.tif 000016
【図１４】
2020150787.tif 000017
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
回路であって、
第一の制御コイルによって制御される第一のスイッチ接点、および前記第一の制御コイルとは異なる第二の制御コイルによって制御される第二のスイッチ接点を介して電源をグリッドに接続するように構成されたリレーレッグと、
前記第一のスイッチ接点または前記第二のスイッチ接点のうちの少なくとも一つが、電気機械的リレーのスイッチ接点を含む、回路。
【請求項２】
前記回路が、前記グリッドの単相に接続される、請求項１に記載の回路。
【請求項３】
前記回路が、前記グリッドの三相に接続される、請求項１に記載の回路。
【請求項４】
前記回路が、前記グリッドの三相および中性線に接続される、請求項１に記載の回路。
【請求項５】
前記電気機械的リレーは、閾値を超える電力の受け取りに応答してスイッチ接点の状態を変更するように構成されたラッチリレーを含む、請求項１に記載の回路。
【請求項６】
入力データに基づいて、前記電気機械的リレーを制御するように構成された制御回路をさらに含む、請求項１に記載の回路。
【請求項７】
前記制御回路が、電力を出力して前記電気機械的リレーの状態を変更するように構成されたパワーバンクを含む、請求項６に記載の回路。
【請求項８】
前記制御回路が、所定の間隔でコントローラから信号を受信するように構成された監視回路を含む、請求項６に記載の回路。
【請求項９】
前記制御回路が、
第一の制御信号、前記第一のスイッチ接点を使用して制御し、
第二の制御信号、前記第二のスイッチ接点を使用して制御するように構成される、請求項６に記載の回路。
【請求項１０】
前記電気機械的リレーが導電するのを防止するように構成された安全装置をさらに備える、請求項１に記載の回路。
【請求項１１】
前記電気機械的リレーが、前記安全装置の取り外しに基づいて導電するように構成される、請求項１０に記載の回路。
【請求項１２】
前記電源から電力を受け取り、直流（ＤＣ）電力を交流電流（ＡＣ）電力に変換するように構成されたインバータをさらに備える、請求項１に記載の回路。
【請求項１３】
第三のスイッチ接点および第四のスイッチ接点を介して前記電源を前記グリッドに接続するように構成された第二のリレーレッグをさらに含み、前記第二のリレーレッグの前記第三のスイッチ接点および前記第一のリレーレッグの前記第一のスイッチ接点が、二極リレーの異なるスイッチ接点である、請求項１に記載の回路。
【請求項１４】
前記第一の制御コイルが、前記リレーレッグとは異なる第二のリレーレッグ上の第三のスイッチ接点を制御する、請求項１に記載の回路。
【請求項１５】
前記第一のスイッチ接点が、マルチコイルラッチリレーによって制御される、請求項１に記載の回路。
【請求項１６】
システムであって、
第一の制御回路と、
第一の端子に接続され、前記第一の制御回路によって制御される第一のスイッチ接点を含む第一のリレーレッグと、
第二の端子に接続され、前記第一の制御回路によって制御される第二のスイッチ接点を含む第二のリレーレッグと、を含む、一つまたは複数の電子装置、および、
接続ボックスであって、
第二の制御回路と、
前記第二の制御回路によって制御される第三のスイッチ接点を介してグリッドに接続された第一の接続端子であって、前記第一の端子に接続される、第一の接続端子と、
前記第二の制御回路によって制御される第四のスイッチ接点を介してグリッドに接続された第二の接続端子であって、前記第二の端子に接続される、第二の接続端子と、を含み、
前記第一のスイッチ接点、前記第二のスイッチ接点、前記第三のスイッチ接点、または前記第四のスイッチ接点のうちの少なくとも一つが、電気機械的リレーのスイッチ接点を含む、接続ボックスを含む、システム。
【請求項１７】
前記第二の制御回路が、前記第一の制御回路と通信するように構成される、請求項１６に記載のシステム。
【請求項１８】
前記第一のスイッチ接点および前記第二のスイッチ接点が、第一の制御コイルによって制御される、請求項１６に記載のシステム。
【請求項１９】
前記第一の接続端子が、第三のリレーレッグの第三の端子に接続され、
前記第二の接続端子が、第四のリレーレッグの第四の端子に接続され、
前記第三のリレーレッグおよび前記第四のリレーレッグが、前記第一のリレーレッグおよび前記第二のリレーレッグを含む第一の電子装置とは異なる第二の電子装置に属する、請求項１６に記載のシステム。
【請求項２０】
前記第一のリレーレッグを含む第一の電子装置と、
前記第二のリレーレッグを含む第二の電子装置と、をさらに含む、請求項１６に記載のシステム。
【手続補正２】
【補正対象書類名】明細書
【補正対象項目名】０１７４
【補正方法】変更
【補正の内容】
【０１７４】
項目１：
第一の制御コイルによって制御される第一のスイッチ接点および第二の、異なる制御コイルによって制御される第二のスイッチ接点を介してグリッドに電力を接続するように構成されたリレーレッグを含み、少なくとも第一のスイッチ接点または第二のスイッチ接点のうちの少なくとも一つが、電気機械的リレー（例えば、ラッチリレー）のスイッチ接点を含む、回路。
【手続補正３】
【補正対象書類名】明細書
【補正対象項目名】０１８９
【補正方法】変更
【補正の内容】
【０１８９】
項１６：
一つまたは複数の電子装置であって、第一の制御回路と、第一の端子に接続され、かつ第一の制御回路によって制御される第一のスイッチ接点を含む第一のリレーレッグ、第二の端子に接続され、かつ第一の制御回路によって制御される第二のスイッチ接点を含む第二のリレーレッグ、および、接続ボックスであって、第二の制御回路と、第二の制御回路によって制御される第三のスイッチ回路を介してグリッドに接続される第一の接続端子であって、第一の端子に接続される、第一の接続端子と、第二の制御回路によって制御される第四のスイッチ回路を介してグリッドに接続される第二の接続端子であって、第二の端子に接続される、第二の接続端子と、を含み、第一のスイッチ接点、第二のスイッチ接点、第三のスイッチ接点、または第四のスイッチ接点のうちの少なくとも一つが、電気機械的リレー（例えば、ラッチリレー）のスイッチ接点を含む、接続ボックスを含む、一つまたは複数の電子装置を含む、システム。
【外国語明細書】
2020150787000001.pdf